(57)【要約】【課題】インバンドレートインジケータ方法及び装置【解決手段】  ダウンリンクトラフィックチャネルデータレートオプション及び利用されるダウンリンクデータレートオプションを無線端末に示す方法が説明される。セグメントに関する前記ダウンリンクトラフィックチャネルレートオプションは、ユーザーデータに関して用いられない前記ダウンリンクトラフィックチャネルセグメントにおいて割り当て信号及び／又はブロックを用いて伝達される。幾つかの実施形態におけるダウンリンクセグメント割り当て信号は、各オプションを一意で識別するために要求されるよりも少ないビットをレートオプションの表示のために割り当て、幾つかの実施形態においては、例えばＱＰＳＫを用いた低レートオプションが、割り当て信号を介して一意で識別される。例えばＱＡＭ１６変調を用いるより高いレートオプションは、第１のコーディング／変調方法を用いてダウンリンクトラフィックセグメントにおいて別個の情報ブロックを介して伝達される。例えばＱＡＭ１６、ＱＡＭ６４、又はＱＡＭ２５６を用いるさらにより高いレートオプションは、前記レートオプション情報に適用される第２のコーディング／変調方法を用いて前記セグメント内の前記情報ブロックを介して伝達される。【選択図】図１８
2009503936.tif 000002
【特許請求の範囲】
【請求項１】
複数の送信データレートオプションをサポートする通信システムにおいて無線端末を動作させる方法であって、
ダウンリンクチャネルセグメント割り当てを示す割り当て信号を受信することと、
前記受信された割り当て信号を復号して、１）割り当て中のダウンリンクチャネルセグメントに対応するデータレートオプション及び２）前記割り当て信号によって割り当て中の前記セグメントが、割り当て中の前記セグメントに含められているユーザーデータに関して用いられる前記データレートオプションを示す情報を含むことを示すインジケータのうちの１つを決定すること、とを具備する、方法。
【請求項２】
前記割り当てられたダウンリンクチャネルセグメントを受信することと、
割り当て中の前記セグメントが前記データレート動作情報を示す情報を含むことを示すインジケータを前記割り当て信号が含むと決定されたときには、割り当て中の前記セグメントに含められているユーザーデータを復号するために用いられる第２の復号方法とは異なる第１の復号方法を用いてデータレートオプション情報を復号すること、とをさらに具備する請求項１に記載の方法。
【請求項３】
データレートオプション情報を復号する前記ステップは、前記割り当てられたダウンリンクチャネルセグメントに含められている情報ブロックの変調シンボルを復元することを含む請求項２に記載の方法。
【請求項４】
データレートオプション情報を復号する前記ステップは、
前記情報ブロックから復元された前記変調シンボルが、符号の第１の組又は符号の第２の組であって、各々がデータレートオプションの異なる第１の組及び第２の組にそれぞれ対応する符号の第１の組または符号の第２の組、に対応するシンボルを含むかどうかを決定することをさらに含む請求項３に記載の方法。
【請求項５】
符号の前記第１の組の変調シンボルは、ＱＰＳＫシンボルコンステレーション内の２つの正反対のＱＰＳＫ変調値に制限される請求項４に記載の方法。
【請求項６】
符号の前記第２の組の変調シンボルは、符号の前記第１の組内に含められている前記２つのＱＰＳＫシンボル値とは異なる前記ＱＰＳＫシンボルコンステレーション内の２つの正反対のＱＰＳＫ変調値に制限される請求項５に記載の方法。
【請求項７】
各復元された変調シンボルは、複数のコーディングされたビットを含み、データレートオプション情報を復号する前記ステップは、
前記復元された変調シンボルが符号の前記第１の組に対応すると決定されたときは第１のフォーマットに従って前記コーディングされたビットを復号することと、
前記復元された変調シンボルが符号の前記第２の組に対応すると決定されたときは第２のフォーマットに従って前記コーディングされたビットを復号すること、とをさらに具備する請求項４に記載の方法。
【請求項８】
符号の前記第１及び第２の組は、Ｒｅｅｄ−Ｍｕｌｌｅｒに基づく符号である請求項７に記載の方法。
【請求項９】
前記第１及び第２のフォーマットは、コーディングされたビットと前記コーディングされたビットによって通信される少なくともデータレートオプション情報との間の関係を示す請求項７に記載の方法。
【請求項１０】
前記第１のフォーマットは、第１の総情報ビットを有し、
前記第２のフォーマットは、第２の総情報ビット数を有し、前記第２の数は、前記第１の数よりも多く、
前記第１の総情報ビット数は、レートオプション情報を伝達するために用いられる第３のビット数を含み、
前記第２の総情報ビット数は、レートオプション情報を伝達するために用いられる第４のビット数を含む請求項９に記載の方法。
【請求項１１】
前記第１の総数は、５であり、
前記第２の総数は、８であり、
前記第３の数は１であり、
前記第４の数は、３である請求項１０に記載の方法。
【請求項１２】
前記第１及び第２のフォーマットは、コーディングされたビットと送信電力インジケータとの間の関係をさらに示す請求項１１に記載の方法。
【請求項１３】
前記割り当てられたダウンリンクチャネルセグメントにおいて通信されたユーザーデータを、前記復号されたデータレートオプションによって示された変調方法、コーディングレート及び変調シンボルマッピングのうちの少なくとも１つに従って復号することをさらに具備する請求項７に記載の方法。
【請求項１４】
前記情報ブロックの前記変調されたシンボルは、ＱＰＳＫ変調されたシンボルである請求項７に記載の方法。
【請求項１５】
前記割り当てられたダウンリンクチャネルセグメントに含められている前記ユーザーデータは、ＱＡＭ１６又はそれよりも高いＱＡＭ変調を用いてＱＡＭ変調される請求項１４に記載の方法。
【請求項１６】
前記割り当て信号の復号が、割り当て中のダウンリンクチャネルセグメントに対応するデータレートオプションを決定するときには、
前記復号されたレートオプション情報から割り当て中の前記ダウンリンクチャネルセグメントに関する変調方法、コーディングレート及び変調シンボルマッピングのうちの少なくとも１つを決定することをさらに具備する請求項２に記載の方法。
【請求項１７】
前記割り当て信号の復号が、割り当て中のダウンリンクチャネルセグメントに対応するデータレートオプションを決定するときに、
前記復号されたレートオプション情報から割り当て中の前記ダウンリンクチャネルセグメントに関する変調方法、コーディングレート及び変調シンボルマッピングのうちの前記決定された少なくとも１つを前記割り当てられたダウンリンクセグメント全体に適用することによって前記割り当てられたダウンリンクチャネルセグメントからユーザーデータを復元するステップをさらに実施する請求項１６に記載の方法。
【請求項１８】
前記復号されたレートオプション情報から割り当て中の前記ダウンリンクチャネルセグメントに関する変調方法、コーディングレート及び変調シンボルマッピングのうちの少なくとも１つを決定する前記ステップは、
ユーザーデータを通信するために用いられるＱＰＳＫ変調されたシンボルに各々対応する複数の異なるコーディングレートのうちの１つを決定することを含む請求項１６に記載の方法。
【請求項１９】
前記ユーザーデータは、音声データ、画像データ及びテキストデータのうちの少なくとも１つを含む請求項１８に記載の方法。
【請求項２０】
前記割り当てられたダウンリンクチャネルセグメントは、予め決められた各々のセグメント構造及び予め決められた数のＯＦＤＭトーンシンボルを有するＯＦＤＭダウンリンクチャネル内のセグメントであり、
前記割り当てられたセグメント全体は、割り当て中のダウンリンクチャネルセグメントに対応するデータレートオプションが前記割り当てによって示されるときにユーザーデータを通信するために用いられ、
前記割り当てられたセグメントの部分組は、前記割り当て信号によって割り当て中の前記セグメントが前記データレートオプションを示す非ユーザーデータ情報ブロックを含むときにユーザーデータを通信するために用いられ、前記部分組は、前記予め決められたＯＦＤＭトーンシンボル数全部よりも少ない数のＯＦＤＭトーンシンボルを含む請求項２に記載の方法。
【請求項２１】
無線端末であって、
ダウンリンクチャネルセグメント割り当てを示す割り当て信号を受信するための及び割り当てられたダウンリンクチャネルセグメント信号を受信するための受信機と、
前記受信された割り当て信号を復号するための割り当て復号モジュールと、
前記割り当てが、割り当て信号によって割り当て中のダウンリンクチャネルセグメントに対応するデータレートオプションを示す第１の型であるか又は前記割り当て信号によって割り当て中の前記セグメントが前記割り当て信号によって割り当て中の前記セグメントに含められているユーザーデータに関して用いられる前記データレートオプションを示す情報を含むことを示すインジケータを含む第２の型の割り当て信号であるかを決定するための割り当て型決定モジュールと、を具備する、無線端末。
【請求項２２】
割り当て中の前記セグメントがデータレートオプション情報を示す情報を含むことを示すインジケータを前記割り当て信号が含むと決定されたときに割り当て中の前記セグメントに含められているユーザーデータを復号するために用いられる第２の復号方法とは異なる第１の復号方法を用いて前記データレートオプション情報を復号するための手段をさらに具備する請求項２１に記載の無線端末。
【請求項２３】
前記割り当てられたダウンリンクチャネルセグメントに含められている情報ブロックの変調シンボルを復元するための手段をさらに具備する請求項２２に記載の無線端末。
【請求項２４】
変調シンボルと符号の第１及び第２の組との間の相関関係を示す格納された情報と、
前記情報ブロックから復元された前記変調シンボルが、符号の第１の組又は符号の第２の組であって、各々がデータレートオプションの異なる第１及び第２の組にそれぞれ対応する符号の第１の組又は符号の第２の組、に対応するシンボルを含むかどうかを決定するための決定モジュールと、をさらに具備する請求項２３に記載の無線端末。
【請求項２５】
符号の前記第１の組の変調シンボルは、ＱＰＳＫシンボル内の２つの正反対のＱＰＳＫ変調値に制限される請求項２４に記載の無線端末。
【請求項２６】
符号の前記第２の組の変調シンボルは、符号の前記第１の組内に含められている前記２つのＱＰＳＫシンボル値とは異なる前記ＱＰＳＫシンボルコンステレーション内の２つの正反対のＱＰＳＫ変調値に制限される請求項２５に記載の無線端末。
【請求項２７】
各復元された変調シンボルは、複数のコーディングされたビットを含み、
データレートオプション情報を復号する前記ステップは、
前記復元された変調シンボルが符号の前記第１の組に対応すると決定されたときは第１のフォーマットに従って前記コーディングされたビットを復号することと、
前記復元された変調シンボルが符号の前記第２の組に対応すると決定されたときは第２のフォーマットに従って前記コーディングされたビットを復号するための手段と、をさらに含む請求項２４に記載の無線端末。
【請求項２８】
符号の前記第１及び第２の組は、Ｒｅｅｄ−Ｍｕｌｌｅｒに基づく符号である請求項２７に記載の無線端末。
【請求項２９】
前記第１及び第２のフォーマットは、コーディングされたビットと前記コーディングされたビットによって通信される少なくともデータレートオプション情報との間の関係を示す請求項２７に記載の無線端末。
【請求項３０】
前記第１のフォーマットは、第１の総情報ビット数を有し、
前記第２のフォーマットは、第２の総情報ビット数を有し、前記第２の数は、前記第１の数よりも多く、
前記第１の総情報ビット数は、レートオプション情報を伝達するために用いられる第３ビット数を含み、
前記第２の総情報ビット数は、レートオプション情報を伝達するために用いられる第４のビット数を含む請求項２９に記載の無線端末。
【請求項３１】
前記第１の総数は、５であり、
前記第２の総数は、８であり、
前記第３の数は１であり、
前記第４の数は、３である請求項３０に記載の無線端末。
【請求項３２】
前記第１及び第２のフォーマットは、コーディングされたビットと送信電力インジケータとの間の関係をさらに示す請求項３１に記載の無線端末。
【請求項３３】
前記割り当てられたダウンリンクチャネルセグメントにおいて通信されたユーザーデータを、前記復号されたデータレートオプションによって示される変調方法、コーディングレート及び変調シンボルのうちの少なくとも１つに従って復号するためのモジュールをさらに具備する請求項２７に記載の無線端末。
【請求項３４】
前記情報ブロックの前記変調されたシンボルは、ＱＰＳＫ変調されたシンボルである請求項２７に記載の無線端末。
【請求項３５】
前記割り当てられたダウンリンクチャネルセグメントに含められている前記ユーザーデータは、ＱＡＭ１６又はそれよりも高いＱＡＭ変調を用いてＱＡＭ変調される請求項３４に記載の無線端末。
【請求項３６】
前記割り当てられたダウンリンクチャネルセグメントは、予め決められた各々のセグメント構造及び予め決められた数のＯＦＤＭトーンシンボルを有するＯＦＤＭダウンリンクチャネル内のセグメントであり、
前記割り当てられたセグメント全体は、割り当て中のダウンリンクチャネルセグメントに対応するデータレートオプションが前記割り当てによって示されるときにユーザーデータを通信するために用いられ、
前記割り当てられたセグメントの部分組は、前記割り当て信号によって割り当て中の前記セグメントが前記データレートオプションを示す非ユーザーデータ情報ブロックを含むときにユーザーデータを通信するために用いられ、前記部分組は、前記予め決められたＯＦＤＭトーンシンボル数全部よりも少ない数のＯＦＤＭトーンシンボルを含む請求項２２に記載の無線端末。
【発明の詳細な説明】
【技術分野】
【０００１】
本発明は、データレートオプション情報を示すための方法及び装置に関するものである。より具体的には、様々な典型的実施形態は、無線通信システムにおいてダウンリンクデータレートオプション情報を示すこと及び使用することに関するものである。
【背景技術】
【０００２】
いずれかの所定の時点において異なるチャネル状態及び異なる干渉レベルを有する異なる所在場所に位置する複数の無線端末と基地局が通信する無線通信システムにおいてダウンリンクトラフィックチャネルシグナリングを有効に行うために、ダウンリンクトラフィックチャネルセグメントに関する非常に多数のデータレートオプションをサポートすることが有益である。典型的には、セグメントごとに変化する可能性がある多数のダウンリンクトラフィックチャネルデータレートオプションをサポートする無線通信システムにおいては、所定のセグメントに関するデータレートオプションは、ダウンリンクトラフィックチャネルセグメントに対応する割り当て信号のフィールドにおいて一意で識別される。しかしながら、サポートされているデータレートオプション数が増加するのに従い、割り当てられたレートオプションを一意で示すために該割り当て信号内における専用ビットであることが要求されるビット数が増加し、望ましくないオーバーヘッドの増大となる。
【０００３】
上記の説明に鑑みて、新しい方法及び装置は、非常に多数のダウンリンクトラフィックチャネルデータレートオプションをサポートし、その一方でデータレート情報を伝達（ｃｏｎｖｅｙ）するために用いられるオーバーヘッド量を制限することを考慮するのが有益になる。柔軟性があり、さらに異なるコーディング及び／又は変調技術がダウンリンクトラフィックチャネルセグメントのデータレートオプションを伝達するのを容易にする方法及び装置が有益になる。
【発明の開示】
【発明の概要】
【０００４】
本発明は、データレートオプション情報を示すための方法及び装置に関するものである。様々な方法及び装置は、無線通信システムにおいてダウンリンクデータレートオプション情報を示すため及び使用するための方法及び装置に関するものである。
【０００５】
本発明の幾つかの実施形態及び特長は、無線端末の方法及び装置に関するものである。本発明の特長及び実施形態は、係属中の請求項の主題を含む。本出願においては、本発明のその他の特長、実施形態及び利益も説明される。
【０００６】
１つの特定の典型的実施形態は、複数の送信データレートオプションをサポートするモバイル端末を動作させる方法に関するものである。本発明の一方法である前記典型的方法は、ダウンリンクチャネルセグメント割り当てを示す割り当て信号を受信することと、前記受信された割り当て信号を復号し、１）割り当て中のダウンリンクチャネルセグメントに対応するデータレートオプション及び２）前記割り当て信号によって割り当て中の前記セグメントが割り当て中の前記セグメントに含められているユーザーデータに関する前記データレートオプションを示す情報を含むことを示すインジケータのうちの１つを決定すること、とを含む。前記典型的方法は、オプションで、前記割り当てられたダウンリンクチャネルセグメントを受信することと、割り当て中の前記セグメントが前記データレートオプション情報を示す情報を含むことを示すインジケータを前記割り当て信号が含むと決定されたときには前記割り当て中の前記セグメントに含められているユーザーデータを復号するために用いられる第２の復号方法とは異なる第１の復号方法を用いてデータレートオプション情報を復号すること、とをさらに含むことができる。幾つかのただし必ずしもすべてではない実施形態においてデータレートオプション情報を復号する前記ステップは、前記割り当てられたダウンリンクチャネルセグメントに含められている情報ブロックの変調シンボルを復元することを含む。幾つかのただし必ずしもすべてではない実施形態においてデータレートオプション情報を復号することは、前記情報ブロックから復元された前記変調シンボルが、符号の第１の組又は符号の第２の組であって、データレートオプションの異なる第１の組または第２の組に各々がそれぞれ対応する符号の第１の組または符号の第２の組、に対応するシンボルを含むかどうかを決定することをさらに含む。
【０００７】
符号の前記第１の組の前記変調シンボルは、幾つかの実施形態においては、ＱＰＳＫシンボルコンステレーション内の２つの正反対のＱＰＳＫ変調値に制限される。１つの該実施形態においては、符号の前記第２の組の変調シンボルは、符号の前記第１の組に含められている前記２つのＱＰＳＫ変調シンボル値とは異なる前記ＱＰＳＫシンボルコンステレーション内の２つの正反対のＱＰＳＫ変調値に制限される。多くの実施形態において、各復元された変調シンボルは、複数のコーディングされたビットを含むことになる。データレートオプション情報を復号する前記ステップは、幾つかの実施形態においては、前記復元された変調シンボルが符号の前記第１の組に対応すると決定されたときには第１のフォーマットに従って前記コーディングされたビットを復号することと、前記復元された変調シンボルが符号の前記第２の組に対応すると決定されたときには第２のフォーマットに従って前記コーディングされたビットを復号すること、とを含むことができる。
【０００８】
本発明の様々な実施形態には追加のステップ及び／又は特長を含めることができる。以下では、本発明の方法を実装するための装置についても説明され、前記装置は、本発明の適用範囲内である。
【０００９】
次に、本発明により実装される幾つかのただし必ずしもすべてではないシステムにおいて用いられる様々な典型的実施形態及び特長について簡単に説明される。
【００１０】
幾つかの実施形態は、割り当てられる通信セグメントに含まれている割り当て信号及び／又は割り当て信号と情報の組合せを用いてダウンリンクデータレートオプション情報を示す。ダウンリンクセグメント内において後述されるレートオプション情報を示す方法は、ダウンリンク割り当て信号を用いる例に基づいて一般的に説明される一方で、例えば割り当て信号又は割り当て信号内の情報を用いずに単独で用いることが可能である。代替として、ほとんどの例の場合のように、ダウンリンクセグメントにレートオプション情報を含める方法は、ダウンリンク割り当て信号に関連する本発明の特長と組合せて用いることが可能である。
【００１１】
本発明の幾つかのただし必ずしもすべてではない実施形態においては、基地局は、ダウンリンクトラフィックチャネルセグメントにおいて利用可能な非常に多くの異なるダウンリンクデータレートオプション、例えば１０以上、をサポートする。低いほうのレートオプションは、高いほうのデータレートオプションよりも低いデータレートに対応する。前記異なるデータレートオプションの少なくとも一部は、前記レートオプションが適用されているダウンリンクセグメントに含められているユーザーデータをコーディング／変調するために異なるコーディングレート及び／又は異なる変調方式を用いる。幾つかの実施形態においては、低いほうのデータレートオプション、例えばデータレートオプション０、１、及び２は、ＱＰＳＫ変調を用い、高いほうのデータレートオプション、例えばデータレートオプション３乃至１０は、ＱＡＭ１６、ＱＡＭ６４、又はＱＡＭ２５６変調を用いる。
【００１２】
様々な実施形態においては、ダウンリンクトラフィックチャネルセグメントは、割り当て信号を用いて基地局によって割り当てられる。実施形態に依存し、各割り当て信号は、割り当て中の１つ又は複数のセグメントに対応することができる。従って、各割り当て信号に関して、少なくとも１つの対応するダウンリンクチャネルセグメントが存在する。幾つかの実施形態においては、前記基地局は、例えば、ダウンリンクセグメント割り当てを行うときに、ユーザーデータを符号化、変調及び／又は割り当て中の前記セグメント内にマッピングするときに用いられるデータレートオプションを決定することができる。使用中のデータレートオプションを無線端末又は無線端末グループに示す様々な異なる方法を、本発明に従ってサポートすることができる。幾つかの実施形態においては、利用されたデータレートオプションを示す方法は、使用するための前記選択されたデータレートオプションに基づいて決定される。
【００１３】
本発明の幾つかの実施形態においてサポートされる１つの特長により、割り当て信号は、レートオプション情報を表す上で、ダウンリンクトラフィックチャネルセグメントに関して前記基地局によってサポートされる可能なダウンリンクデータレートオプションの各々を一意で識別するために要求されることになるビット数よりも少ないビットを専用ビットとして用いる。幾つかの該実施形態においては、少なくとも幾つかの低データレートオプションに関して、符号化されて前記セグメント割り当て信号に入れられた割り当て信号レートオプション情報ビットは、前記割り当て信号が対応する前記ダウンリンクトラフィックチャネルセグメントの前記データレートオプションを一意で識別する。その他のデータレートオプション、例えばより高いデータレートオプション、に関しては、前記割り当て信号に含められた前記割り当て信号レートオプション情報は、前記ダウンリンクトラフィックチャネルセグメントの前記データレートオプションが特別情報ブロック、例えば割り当て中の前記ダウンリンクセグメント内に含められている予め決められた送信ユニットの組に含められることを示す。前記特別情報ブロックは、通常はユーザーデータを含まないが、前記データレートオプション情報に加えて例えば様々な制御情報を含むことができる。前記特別情報ブロック内の前記送信ユニットは、前記ダウンリンクセグメントの最初に配置された隣接する一組の送信ユニット、例えばトーン−シンボル、であることができ、又は隣接しない形でただし既知の形で前記ダウンリンクセグメント内に分散させることができる。
【００１４】
幾つかの特定の実施形態においては、特別情報ブロックを含むダウンリンクトラフィックチャネルセグメントの前記特別情報ブロックは、複数のフォーマットを有することができ、各フォーマットは、１つの符号グループに対応する。例えば、第１のフォーマットは、１つのレートオプションインジケータビットを含む５つの情報ビットを３２のコーディングされたビットにマッピングすることができ、ここで、コーディングされたビットの１６のビット対の各々のパターンは００又は１１であることができ、第２のフォーマットは、３つのレートオプションインジケータを含む８つの情報ビットを３２のコーディングされたビットにマッピングすることができ、ここで、コーディングされたビットの１６のビット対の各々のパターンは０１又は１０であることができる。幾つかの前記実施形態においては、前記特別情報ブロックの前記コーディングされたビットは、ＱＰＳＫ変調シンボルにマッピングされる。
【００１５】
幾つかの実施形態においては、ダウンリンクトラフィックチャネルユーザーデータ／情報データレートオプションのレベルの３つのグループが存在する。すなわち、（ｉ）前記特別情報ブロックが前記ダウンリンクトラフィックチャネルセグメントにおいて実装されずさらに前記データレートオプションが前記割り当て信号において一意で示される第１の最低のグループ、（ｉｉ）前記特別情報ブロックが用いられ、第１の数の情報ビットがコーディングされて前記特別情報ブロック内に入れられ、及び前記特別情報ブロックが２つのデータレートオプションを一意で識別することを専用とする１つの情報ビットを含む第２の中間レベルグループ、（ｉｉｉ）前記特別情報ブロックが用いられ、第２の数の情報ビットがコーディングされて前記特別情報ブロック内に入れられ、前記第２の数は、前記第１の数よりも多く、前記特別情報ブロックは、少なくとも６つのデータレートオプションを一意で識別することを専用とする３つの情報ビットを含む第３のより高いレベルのグループである。幾つかの前記実施形態において、前記第１のグループに関しては、前記ダウンリンクトラフィックチャネルセグメントは、ＱＰＳＫ変調を使用し、前記第２のグループに関しては、前記ダウンリンクトラフィックチャネルセグメントは、前記特別情報ブロック部分についてはＱＰＳＫを使用し、ユーザーデータのコーディングされたブロック部分についてはＱＡＭ１６を使用し、前記第３のグループに関しては、前記ダウンリンクトラフィックチャネルセグメントは、前記特別情報ブロック部分についてはＱＰＳＫ変調を使用し、前記ユーザーデータのコーディングされたブロック部分についてはＱＡＭ１６、ＱＡＭ６４、及びＱＡＭ２５６のうちの１つを使用する。
【００１６】
本発明の様々な実施形態の特長により、前記基地局は、前記特別情報ブロックのフォーマット型を特別に識別せず、むしろ、前記符号グループは、前記特別情報ブロックを受け取り中の無線端末が受け取られた特別情報ブロックのフォーマット型を区別して特定するのを可能にする。幾つかの実装においては、前記無線端末は、前記特別情報ブロックの前記フォーマット型を決定後に、前記ダウンリンクトラフィックチャネルセグメントに関して用いられる前記データレートオプションを識別する特別情報ブロックの前記情報ビットを復元することを試みる。前記無線端末は、復元されたデータレートオプション値を用いて、前記コーディングされたユーザーデータに対応する前記受け取られた変調シンボル値を適切に解釈すること、及び送信前に前記基地局によって符号化された前記ユーザーデータ情報ビットを復元するのを試みることができる。
【００１７】
上記の発明の概要においては様々な実施形態が説明されている一方で、必ずしもすべての実施形態が同じ特長を含むわけではなく、上述される特長の一部は、必要ではないが幾つかの実施形態においては望ましい可能性があることが明確に理解されるべきである。以下の発明を実施するための最良の形態においては、本発明の数多くの追加の特長、実施形態及び利益が説明される。
【発明を実施するための最良の形態】
【００１８】
図１は、本発明により実装されて本発明の方法を用いる典型的通信システム１００の図である。システム１００は、本発明により効率的な方法で複数の異なるダウンリンクデータレートオプションをサポートしさらに所定のダウンリンクトラフィックチャネルセグメントに関する選択されたダウンリンクデータレートを通信することによってダウンリンク通信を向上させることを目的とする装置及び方法を含む。典型的システム１００は、例えば、直交周波数分割多重化（ＯＦＤＭ）多重接続無線通信システムであることができる。システム１００は、複数のセル（セル１  １０２、セルＭ  １０４）を含む。各セル（セル１  １０２、セルＭ  １０４）は、対応する基地局（ＢＳ１  １０６、ＢＳＭ  １０８）に関する無線カバレッジエリアをそれぞれ表す。システム１００には複数の無線端末（ＷＴ）（ＷＴ１  １１０、ＷＴＮ  １１２、ＷＴ１’１１４、ＷＴＮ’１１６）が含まれる。これらのＷＴのうちの少なくとも一部は、モバイルノード（ＭＮ）であり、ＭＮは、システム１００全体を移動し、異なるＢＳと無線リンクを確立することができ、前記ＢＳは、ＷＴが現在所在するセルに対応する。図１において、（ＷＴ１  １１０、ＷＴＮ  １１２）は、無線リンク（１１８、１２０）をそれぞれ介してＢＳ１  １０６に結合され、（ＷＴ１’１１４、ＷＴＮ’１１６）は、無線リンク（１２２、１２４）をそれぞれ介してＢＳＭ  １０８に結合される。
【００１９】
ＢＳ（１０６、１０８）は、ネットワークリンク（１２８、１３０）をそれぞれ介してネットワークノード１２６に結合される。ネットワークノード１２６は、その他のネットワークノード、例えばルーター、その他の基地局、ＡＡＡサーバーノード、ホームエージェントノード等に結合され、及び／又はネットワークリンク１３２を介してインターネットに結合される。ネットワークリンク１２８、１３０、１３２は、例えば光ファイバーリンクであることができる。ネットワークノード１２６及びネットワークリンク１２８、１３０、１３２は、異なるセル内の様々なＢＳをひとつにまとめてリンクして接続性を提供することによって１つのセル内に所在するＷＴが異なるセル内のピアノードと通信できるようにするバックホールネットワークの一部である。
【００２０】
システム１００は、１つのセル当たり１つのセクターが存在するセルを有する形が示される。本発明の方法及び装置は、１つのセル当たり２つ以上のセクター、例えば１つのセル当たり２つ、３つ、又は４つ以上のセクター、を有するシステムにおいて、及びシステムの異なる部分において１つのセル当たり異なる数のセクターを有するシステムにおいても適用可能である。さらに、本発明の方法及び装置は、少なくとも１つの基地局及び１つの無線端末を含む数多くの非セルラー無線通信システムに対しても適用可能である。
【００２１】
図２は、本発明により実装されて本発明の方法を用いる典型的基地局２００の図である。典型的ＢＳ２００は、アクセスノードと呼ばれることがある。ＢＳ２００は、図１のシステム２００のＢＳ（１０６、１０８）のうちのいずれでもあることができる。典型的ＢＳ２００は、様々な要素がデータ及び情報を互いに交換することができるバス２１２を介してまとめて結合される受信機２０２と、送信機２０４と，プロセッサ２０６と、Ｉ／Ｏインタフェース２０８と、メモリ２１０と、を含む。
【００２２】
受信機２０２は、受信アンテナ２０３に結合され、ＢＳ２００は、受信アンテナ２０３を通じて複数の無線端末からアップリンク信号を受信する。受信機２０２は、受信された符号化されたアップリンク信号を復号するための復号器２１４を含む。
【００２３】
送信機２０４は、送信アンテナ２０５に結合され、送信アンテナ２０５を通じて複数の無線端末にダウンリンク信号が送信される。送信機２０４は、送信前に情報を符号化するための符号器２１６を含む。ダウンリンク信号は、ダウンリンクトラフィックチャネルセグメントの割り当てを含む割り当て信号を含む。該割り当て信号は、レートオプション情報を含む。ダウンリンク信号は、ダウンリンクトラフィックチャネルセグメント信号も含む。ダウンリンクトラフィックチャネルセグメントの一部は、ダウンリンクトラフィックチャネルセグメントのユーザーデータに関して用いられるデータレートに対応するレートオプション情報を含む特別情報ブロックを含む。
【００２４】
Ｉ／Ｏインタフェース２０８は、ＢＳ２００を、その他のネットワークノード、例えばルーター、その他の基地局、ＡＡＡサーバーノード、ホームエージェントノード及び／又はインターネットに結合する。Ｉ／Ｏインタフェース２０８は、異なるセル内のノード間における相互接続性を提供するバックホールネットワークへのインタフェースを提供する。
【００２５】
メモリ２１０は、ルーチン２１８と、データ／情報２２０、とを含む。プロセッサ２０６、例えばＣＰＵ、は、ルーチン２１８を実行し、メモリ２１０内のデータ／情報２２０を用いてＢＳ２００を動作させ、本発明の方法を実装する。
【００２６】
ルーチン２１８は、通信ルーチン２２２と、基地局制御ルーチン２２４と、を含む。通信ルーチン２２２は、ＢＳ２００によって用いられる様々な通信プロトコルを実装する。
【００２７】
基地局制御ルーチン２２４は、受信機２０２の動作、送信機２０４の動作、Ｉ／Ｏインタフェース２０８の動作、及び本発明の方法の実装を含むＢＳ２００の動作を制御する。基地局制御ルーチン２２４は、スケジューリングモジュール２２６と、ダウンリンクトラフィックチャネルセグメントレートオプション決定モジュール２２８と、割り当て信号レートオプション符号化モジュール２３０と、ダウンリンクトラフィックチャネルセグメント符号化／変調モジュール２３２と、ダウンリンクシグナリングモジュール２３８と、アップリンクシグナリングモジュール２４０と、を含む。ダウンリンクトラフィックチャネルセグメント符号化／変調モジュール２３２は、ユーザーデータ符号化／マッピングモジュール２３８と、レートオプション情報を含む特別情報ブロック符号化／マッピングモジュール２４０と、を含む。特別情報ブロックモジュール２４０は、第１フォーマットモジュール２４２と、第２フォーマットモジュール２４４と、を含む。
【００２８】
スケジューリングモジュール２２６、例えばスケジューラ、は、無線端末ユーザーへのアップリンク及びダウンリンクのチャネルエアリンク資源、例えばセグメント、をスケジューリングする。スケジューラ２２６の動作は、スケジューリング方針により、複数の無線端末からの特定の無線端末にダウンリンクトラフィックチャネルセグメントを割り当てることを含む。異なるダウンリンクトラフィックチャネルセグメントは、異なる特性、例えば、より短い継続時間に関してはより多いトーン、より長い継続時間に関してはより少ないトーン、を有することができ、スケジューラは、いずれのダウンリンクトラフィックセグメントをいずれのユーザーに割り当てるべきかを判断時にこれらの相違を考慮に入れることができる。スケジューラ２２６は、ある時点において、ＷＴに送信すべきデータ量の推定、優先レベル、加入者層レベル、レーテンシーに関する考慮、例えばチャネル状態フィードバック報告を用いたチャネル状態の推定、及び／又は例えばビーコン比報告情報等のＷＴからのフィードバック情報を用いた干渉レベルの推定に基づいて、幾つかのダウンリンクトラフィックチャネルセグメントを無線端末に割り当てることができる。各トーンは、ＯＦＤＭシンボル送信期間中に信号を通信するために用いることができる。
【００２９】
ダウンリンクトラフィックチャネルセグメントレートオプション決定モジュール２２８は、例えばスケジューリング動作と調整して、ダウンリンクトラフィックチャネルセグメントに関して用いるレートオプションを、ダウンリンクに関して基地局によってサポートされる複数のデータレートオプションの中から決定し、ここで、各データレートオプションは、コーディングレート及び変調方式に対応する。例えば、典型的システムは、ダウンリンクにおいて各々が異なる数のＭＡＣフレームに対応する１１の異なるデータレートオプション、ダウンリンクトラフィックチャネルセグメントにおいて符号化すべき異なる数の情報ビット、及び特定の変調コンステレーション（ｃｏｎｓｔｅｌｌａｔｉｏｎ）をサポートすることができ、異なる変調コンステレーション、例えば、ＱＰＳＫ、ＱＡＭ１６、ＱＡＭ６４、ＱＡＭ２５６、は、少なくとも幾つかの異なるレートオプションに関するユーザーデータのコーディングされたビットを伝達するために用いられる。例えば、最低の３つのデータレートオプションは、ＱＰＳＫ、次の４つの最高のＱＡＭ１６、次の２つの最高のＱＡＭ６４、及び次の２つの最高のＱＡＭ２５６を用いることができる。モジュール２２８は、ダウンリンクトラフィックチャネルセグメントに関するデータレートオプションを決定することに加えて、決定されたレートに基づいてその他のモジュールへの制御の流れを制御する。例えば、幾つかの実施形態においては、低データレートオプション、例えばＱＰＳＫを用いたレートオプション０、１、及び２、の場合は、特別情報ブロックは実装されないため呼び出されない。
【００３０】
割り当て信号レートオプション符号化モジュール２３０は、ダウンリンクトラフィックチャネルレートオプション情報を符号化してダウンリンクトラフィックチャネルセグメントに対応する割り当て信号に入れる。幾つかのレートオプション、例えばＱＰＳＫを用いたレートオプション０、１、又は２、の場合は、実際のレートオプションが符号化されて割り当て信号に入れられ、他方、その他の幾つかのレートオプション、例えばレートオプション３乃至１０、の場合は、情報、例えば１１等のビットパターン、は、符号化されて、割り当て信号においてレート情報用に指定されたフィールドに入れられ、このことは、実際の割り当てられたレートオプションはダウンリンクトラフィックチャネルセグメントの一部である特別情報ブロックで伝達されること、及びレートオプションは指定された範囲、例えばレートオプション３乃至１０の範囲内にあることを示す。
【００３１】
ダウンリンクトラフィックチャネルセグメント符号化／変調モジュール２３２は、ダウンリンクトラフィックチャネルセグメントに関する符号化及び変調動作を実行する。ユーザーデータ符号化及びマッピングモジュール２３８は、セグメントに関する決定されたダウンリンクトラフィックチャネルデータレートオプションに対応するコーディングレート及び符号に従い、ユーザーデータ情報ビットを符号化してコーディングされたビットにする。ユーザーデータ及びマッピングモジュール２３８は、さらに、ダウンリンクトラフィックチャネルセグメントに関する決定されたデータレートオプションに対応する変調コンステレーションにより、コーディングされたビットを変調シンボル値にマッピングする。ユーザーデータ符号化／マッピングモジュール２３８は、さらに、変調シンボル値をセグメントのトーン−シンボルと関連づける。幾つかの実施形態においては、低データレートオプション、例えばＱＰＳＫを用いるデータレートオプション０、１、２、の場合は、例えばセグメントのトーン−シンボルの各々は、コーディングされたユーザーデータに対応する変調シンボル値に関して割り当てられ、他方、より高いデータレートオプションの場合は、セグメントのトーン−シンボルのほとんど、例えば６７２のうちの６５６、は、コーディングされたユーザーデータに対応する変調シンボル値に関して割り当てられ、少数のトーン−シンボル、例えば６７２のうちの１６は、特別情報ブロックに対応する変調シンボルに割り当てられる。
【００３２】
レートオプション情報を含む特別情報ブロック符号化／マッピングモジュール２４０は、ダウンリンクトラフィックチャネルセグメントの特別情報ブロックに関係する符号化、マッピング及び変調動作を実行する。特別ブロックモジュール２４０は、２つの異なる動作フォーマットをサポートし、第１フォーマットモジュール２４２と、第２フォーマットモジュールと、を含む。第１フォーマットモジュール２４２は、データレートオプション、例えばレートオプション３及び４、から成る第１のグループに関係する符号化、マッピング、及び変調動作を実行し、第２フォーマットモジュール２４４は、データレートオプション、例えばデータレートオプション５乃至１０、から成る第２のグループに関係する符号化、マッピング、及び変調動作を実行し、第２のグループのデータレートは、第１のグループのデータレートよりも高い。例えば、第１フォーマットモジュール２４２は、１つのデータレートビットを含む５つの情報ビットの組を符号化して３２の情報ビットの組にすることができ、Ｒｅｅｄ−Ｍｕｌｌｅｒに基づく符号を用いることができ、その結果得られるコーディングされたビットの組は、各々のビット対が００又は１１の値を有する１６の２ビット対であることができる。１つのデータレートビットの値は、ダウンリンクトラフィックチャネルセグメントのユーザーデータ部分に関してレートオプション３又は４を用いるかどうかを指定するために用いることができる。該例を続けると、第２フォーマットモジュール２４４は、３つのデータレートビットを含む８つの情報ビットの組を符号化しての３２の情報ビットの組にすることができ、Ｒｅｅｄ−Ｍｕｌｌｅｒに基づく符号を用いることもでき、その結果得られるコーディングされたビットの組は、各々のビット対が０１又は１０の値を有する１６の２ビット対であることができる。３つのデータレートビットの値は、ダウンリンクトラフィックチャネルセグメントのユーザーデータ部分に関してレートオプション５、６、７、８、９、又は１０を用いるかどうかを指定するために用いることができ、例えば将来の拡張及び／又は追加レートの追加のための２つの可能性を予約することができる。モジュール２４２又は２４４は、生成されたコーディングされたビットを、ＱＰＳＫ変調コンステレーションに関する変調シンボル値にマッピングし、例えば、３２のコーディングされたビットの組をセグメントに関する１６の変調シンボル値にマッピングする。モジュール２４２又は２４４は、さらに、変調シンボル値を、ダウンリンクトラフィックチャネルセグメントの特別情報ブロックのトーン−シンボルと関連づける。
【００３３】
本発明の幾つかの実施形態の１つの特長により、第１フォーマットモジュール２４２のコーディングレート、例えば３つの情報ビット−３２のコーディングされたビット、は、第２フォーマットモジュール２４４のコーディングレート、例えば５つの情報ビット−３２のコーディングされたビット、よりも低く、第１フォーマットモジュール２４２の使用と関連づけられたユーザー情報のデータレート、例えば８４８乃至１０５６の情報ビットに対応するデータレートオプション３又は４、は、第２フォーマットモジュール２４４の使用と関連づけられたユーザー情報のデータレート、例えば１２６４乃至３７６０の情報ビットに対応するデータレートオプション５乃至１０、よりも低い。本発明の幾つかの実施形態の他の特長により、第１フォーマットモジュール２４２は、第２フォーマットモジュールによって生成される変調シンボル値の組とは異なる変調シンボル値の組を生成する。例えば、第１フォーマットモジュール２４２は、実行されると、４つの値から成る組内の４つの可能性があるＱＰＳＫ変調シンボル値のうちの第１の２つを用いて一組の１６のＱＰＳＫ変調シンボル値を生成することができ、第１の２つの値は、複素平面における２つの反対の対角象限を表す。同様に、第２フォーマットモジュール２４４は、実行されると、ＱＰＳＫコンステレーションに関する４つの可能なＱＰＳＫ変調シンボル値のうちの残りの２つである第２の２つを用いて一組の１６のＱＰＳＫ変調シンボル値を生成することができる。
【００３４】
ダウンリンクシグナリングモジュール２３８は、ビーコン信号と、パイロット信号と、データレートオプション情報を含むダウンリンクトラフィックセグメント割り当て情報信号と、ダウンリンクトラフィックチャネルセグメント信号と、を含むダウンリンク信号を送信するために送信機２０４及びその符号器２０４の動作を制御し、ダウンリンクトラフィックチャネルセグメントの少なくとも一部は、ダウンリンクトラフィックチャネルセグメントのユーザー情報に関して用いられるレートオプションを含む特別情報ブロックを含む。
【００３５】
アップリンクシグナリングモジュール２４０は、複数のＷＴからの資源要求、チャネル品質報告、干渉報告、及びアップリンクトラフィックチャネル信号を含むアップリンク信号を受信及び処理するために受信機２０２及びその復号器２１４の動作を制御する。
【００３６】
データ／情報２２０は、複数の組のＷＴデータ／情報２４６（ＷＴ１  データ／情報２５０，ＷＴＮデータ情報２５２）と、システムデータ／情報２４８と、を含む。ＷＴ１データ／情報２５０は、ユーザーデータ２５３と、ＷＴ識別情報２５４と、デバイス／セッション／資源情報２５５と、ダウンリンクユーザーデータ量２５６と、チャネル品質情報２５７と、ダウンリンク干渉推定情報２５８と、ダウンリンクの割り当てられたセグメント情報２５９と、を含む。
【００３７】
ユーザーデータ２５０は、ＷＴ１と通信セッション中のＷＴ１のピアノードに転送することが意図されている、ＷＴ１からのアップリンクトラフィックチャネルセグメントにおいて受信されたユーザーデータ／情報、例えば音声、テキスト又は映像を表すデータ／情報、を含む。ユーザーデータ２５０は、ダウンリンクトラフィックチャネルセグメント信号を介してＷＴ１に通信される、ＷＴ１のピアノード発のユーザーデータ／情報も含むことができる。
【００３８】
ＷＴ識別情報２５４は、例えば、基地局によって割り当てられた、ＷＴ１と関連づけられたアクティブユーザー識別子及びＩＰアドレスを含む。デバイス／セッション／資源情報２５４は、スケジューリングモジュール２２６によってＷＴ１に割り当てられたアップリンク及びダウンリンクセグメント、例えばトラフィックチャネルセグメント、と、ＷＴ１と通信セッション中のＷＴ１のピアノードに関係するアドレス及びルーティング情報を含むセッション情報と、を含む。
【００３９】
チャネル品質情報２５７は、ＷＴ１からの受け取られたチャネル品質報告から得られた又は導き出された情報と、ＷＴ１からのアップリンク信号の測定及び評価から決定されたチャネル品質情報と、を含む。ダウンリンク干渉推定情報２５８は、異なる潜在的なレートオプション及び／又は決定されたレートオプションに対応する予想送信電力レベルに従い、例えばダウンリンクトラフィックチャネルセグメントにおいてＷＴ１に送信することによって生成されることが予想される潜在的干渉レベルに関する基地局の推定を含む。
【００４０】
ダウンリンクユーザーデータ２５６の量は、ＷＴ１の現在のダウンリンクデータ送信ニーズに関するＢＳ２００の尺度であり、ＢＳ２００が現在入手可能な情報が用いられる。ダウンリンクユーザーデータ２５６の量は、ＷＴ１に割り当てるダウンリンクトラフィックチャネルセグメント数を決定する際にスケジューリングモジュール２２６によって用いることができる。
【００４１】
ダウンリンクの割り当てられたセグメント情報２５９は、例えばＷＴ１への現在の割り当てに依存して１つ以上の組のセグメント情報（セグメント１情報２６０、セグメントＮ情報２６１）を含むことができる。セグメント１情報２６０は、セグメント識別子２６２と、割り当てられたレートオプション２６３と、割り当て信号情報２６４と、ユーザーデータ２６６と、コーディングされたユーザーデータ２６７と、変調シンボル値２６８と、割り当てられたレートオプション２６３に依存する幾つかのセグメントに関する特別ブロック情報２６９と、を含む。
【００４２】
セグメント識別子２６２、例えばセグメントインデックス数、は、ダウンリンクタイミング構造内の複数のダウンリンクトラフィックチャネルセグメントの中からダウンリンクトラフィックチャネルセグメントを識別する。割り当てられたレートオプションは、ダウンリンクトラフィックチャネルセグメントに関してモジュール２２８によって決定された決定データレートオプションである。割り当て信号情報２６４は、コーディングされたレート情報２６５を含む。コーディングされたレート情報２６５は、実際の割り当てられたレート２６３３を指定するか又は割り当てられたレートオプション２６３を識別する情報を含む特別情報ブロックがダウンリンクトラフィックチャネルセグメントにおいて用いられることを識別する情報、例えば２つのビット、を含む。ユーザーデータ２６６は、割り当てられたレートオプション２６３に対応するコーディングレート及び符号に対応するダウンリンクトラフィックチャネルセグメントに関して、符号化されてコーディングされたユーザーデータ２６７に入れられるユーザー情報ビットを含む。変調シンボル値２６８は、割り当てられたレートオプションに対応していて、ダウンリンクトラフィックチャネルセグメントに関して使用中の変調コンステレーション、例えば、ＱＰＳＫ、ＱＡＭ１６、ＱＡＭ６４、ＱＡＭ２５６のうちの１つ、の上にコーディングされたユーザーデータビット２６７をマッピングすることによって生成される変調シンボル値を含む。ダウンリンクトラフィックチャネルセグメントに関する変調シンボル値２６８の数は、特別情報ブロックが含まれているかどうかに依存して変化することができる。
【００４３】
特別情報ブロック情報２６９は、レートオプション情報２７０を含む情報ビット２７０と、コーディングされたビット２７２と、変調シンボル値２７３と、を含む。例えば、特別情報ブロック情報２６９は、セグメントが、より高い一組のレートオプション、例えばコーディングされたユーザーデータに関するＱＡＭ１６、ＱＡＭ６４又はＱＡＭ２５６の変調コンステレーションを用いたデータレートオプション３乃至１０のうちのいずれかに対応する場合に用いることができ、ブロック２６９は、より低いレートオプション、例えばコーティングされたユーザーデータに関するＱＰＳＫ変調コンステレーションを用いるデータレートオプション０乃至２に関しては省略することができる。情報ビット２７０は、特別情報ブロックへの入力、例えば、第１のフォーマットが用いられるときは５つの情報ビット又は第２のフォーマットが用いられるときは８つの情報ビットを表す。情報ビット２７０は、レートオプション情報ビット２７１、例えば、第１のフォーマットにおけるレートオプション３又は４等の２つの可能なレートオプション間で指定する１ビット、又はレートオプション５、６、７、８、９、１０等の６つの可能なレートオプションの間で指定する３ビット、を含み、第２のフォーマットにおいて指定される２つの追加のレートオプション用の予約を有する。レートオプション情報２７１において指定されたレートは、割り当てられたレートオプション２６３に対応する。コーディングされたビット２７２は、割り当てられたレートオプションによる符号及びコーディングレートを用いる情報ビット２７０に対応する一組のコーディングされたビット、例えば３２のコーディングされたビット、である。各々が符号グループに対応するフォーマット型である第１又は第２のフォーマット型のいずれかに従ってコーディングされたビット２７２を決定するために２つの異なるコーディング方法が用いられる。変調シンボル値２７３は、コーディングされたビット２７２、例えば１６のＱＰＳＫシンボル値、のマッピングによって生成されたＱＰＳＫシンボル値を表す。本発明の様々な実施形態の１つの特長により、所定のダウンリンクトラフィックチャネルセグメントの場合は、変調シンボル値２７３は、４つの可能な値の組からの２つの値をとり、これらの２つの値は、複素平面における対角的に反対の象限又は反対の位置を表す。
【００４４】
システムデータ／情報２４８は、アップリンク／ダウンリンクタイミング及び周波数構造情報２７４と、ダウンリンクトラフィックチャネル割り当てシグナリング情報２７５と、ダウンリンクトラフィックチャネルレートオプション／符号化／変調情報２７６と、特別ブロック情報２７７と、を含む。
【００４５】
アップリンク／ダウンリンクタイミング及び周波数構造情報２７４は、例えば、シンボルタイミング情報と、トーンスペース情報と、アップリンクトーン数と、ダウンリンクトーン数と、アップリンク搬送波周波数と、ダウンリンク搬送波周波数と、アップリンク帯域幅と、ダウンリンク帯域幅と、トーンのアップリンクの組と、トーンのダウンリンクの組と、アップリンクトーンホッピング情報と、アップリンクドウェル情報と、ダウンリンクトーンホッピング情報と、ダウンリンクトラフィックセグメント構造情報と、アップリンクトラフィックセグメント構造情報と、反復タイミング構造、例えばシンボル時間間隔及びドウェル、ハーフスロット、スロット、スーパースロット、ビーコンスロット、ウルトラスロット等へのシンボル時間間隔のグループ分けと、割り当て信号とダウンリンクトラフィックチャネルセグメントとの間の関係と、を含む。ダウンリンクトラフィックチャネルセグメント構造情報は、例えばセグメントへのエアリンク資源、例えばトーン−シンボル、のグループ分けを識別する情報と、サブセグメントへのセグメントのエアリンク資源のさらなるグループ分けを識別する情報、例えば、ダウンリンクトラフィックチャネルセグメントが特別情報ブロックを採用しているデータレートオプションのうちの１つに対応するときに、ダウンリンクトラフィックチャネルセグメントのいずれのトーン−シンボルが特別情報ブロックに関して用いられ、同じダウンリンクトラフィックチャネルセグメントのいずれのトーン−シンボルがコーディングされたユーザーデータブロックに関して用いられるかを識別する情報と、を含む。
【００４６】
ダウンリンクトラフィックチャネル割り当てシグナリング情報２７５は、割り当て信号内のフィールド及び該フィールド内の異なる可能な値の意味を識別する情報、例えば、割り当て信号内のダウンリンクトラフィックチャネルセグメントレートオプションサブフィールドに関係する情報、を含む。例えば、ダウンリンクトラフィックチャネルセグメントに対応する、割り当て信号内の２ビットレートオプションサブフィールドは、ビットパターン（００、０１、又は１０）の指示に従って３つの可能な低レベルレートオプション、例えばレートオプション０、１、２、を伝達することができ、又は、より高いレベルのレートオプションの１つが用いられること及び実際の割り当てられたレートは、ダウンリンクトラフィックチャネルセグメントの一部として特別情報ブロックにおいて伝達されることを伝達することができる。例えば、ビットパターン（１１）は、レートオプション（３乃至１０）のうちの１つが用いられること及び実際のレートは、ダウンリンクトラフィックチャネルセグメントの特別情報ブロックに含められていることを伝達することができる。
【００４７】
ダウンリンクトラフィックチャネルレートオプション／符号化／変調情報２７６は、基地局によってサポートされる様々なダウンリンクトラフィックチャネルデータレートオプション、各データレートオプションに対応するＭＡＣフレーム数、各データレートオプションに対応する情報ビット数、各データレートオプションに対応する用いられたコードワード長と符号、及び各データレートオプションに対応する用いられた変調コンステレーションを識別する情報を含む。
【００４８】
特別情報ブロック情報２７７は、第１フォーマットデータ／情報２７８と、第２フォーマットデータ／情報２７９と、を含む。第１フォーマットデータ／情報２７８は、いずれのダウンリンクトラフィックチャネルレートオプションが特別情報ブロックに関する第１のフォーマットと関連づけられているかを識別する情報と、第１フォーマット特別情報ブロックの情報ビットフィールドと、各フィールドのビットサイズと、各フィールド内のビット値に与えられた解釈と、例えば符号生成行列を含むコーディング方法の用途と、変調シンボルへのコーディングビットマッピング情報と、用いられる変調方式と、を含む。例えば、第１のフォーマットは、２つのダウンリンクトラフィックチャネルレートオプション３及び４と関連づけることができ、第１フォーマット特別情報ブロックは、レートオプション３又は４のいずれかを示す単ビットレートオプションインジケータ及び４ビット送信電力インジケータ値を含む５つの情報ビットを伝達することができ、コーディングは、Reed-Muller符号に基づくことができ、１６のＱＰＳＫ変調シンボル値にマッピングされた３２のコーディングされたビットを得ることができる。
【００４９】
第２フォーマットデータ／情報２７９は、いずれのダウンリンクトラフィックチャネルデータレートオプションが特別情報ブロックに関する第２のフォーマットと関連づけられているかを識別する情報と、第２フォーマット特別情報ブロックの情報ビットフィールドと、各フィールドのビットサイズと、各フィールド内のビット値に与えられた解釈と、例えば符号生成行列を含むコーディング方法の用途と、変調シンボルへのコーディングビットマッピング情報と、用いられる変調方式と、を含む。例えば、第２のフォーマットは、２つの予約された指定を有する６つのダウンリンクトラフィックチャネルレートオプション５乃至１０と関連づけることができ、第２フォーマット特別情報ブロックは、レートオプション５乃至１０の範囲からいずれのレートオプションが割り当てられているかを示す３ビットのレートオプションインジケータ、及び５ビットの送信電力インジケータ値を含む８つの情報ビットを伝達することができ、コーディングは、Reed-Muller符号に基づくことができ、１６のＱＰＳＫ変調シンボル値にマッピングされた３２のコーディングされたビットを得ることができる。第１及び第２フォーマットデータ／情報２７８、２７９は、各々、例えば第１フォーマット特別情報ブロックに対応する可能なＱＰＳＫ変調シンボル値が第２フォーマット特別情報ブロックに対応する変調シンボル値と異なる、例えば複素平面における異なる象限である、ようにするために、異なる符号グループと関連づけることができる。
【００５０】
図３は、本発明により実装されて本発明の方法を用いる典型的無線端末３００の図である。ＷＴ３００は、図１のシステム１００のＷＴ（１１０、１１２、１１４、１１６）のうちのいずれかであることができる。典型的ＷＴ３００は、様々な素子がデータ及び情報を互いに交換することができるバス３１２を介してまとめて結合された受信機３０２と、送信機３０４と、プロセッサ３０６と、ユーザーＩ／Ｏデバイス３０８と、メモリ３１０と、を含む。
【００５１】
受信機３０２は、受信アンテナ３０３に結合され、ＷＴ３００は、受信アンテナ３０３を通じて、ダウンリンクトラフィックチャネルセグメントに関する割り当て及びダウンリンクトラフィックチャネルセグメント信号を含むダウンリンク信号をＢＳ２００から受信する。受信機３０２は、ＢＳ２００からの受信されたダウンリンク信号を復号するためにＷＴ３００によって用いられる復号器３１４を含む。
【００５２】
送信機３０４は、送信アンテナ３０５に結合され、ＷＴ３００は、送信アンテナ３０５を通じて、チャネル品質報告と、干渉報告と、アップリンク資源要求メッセージと、アップリンクトラフィックチャネルセグメント信号と、を含むアップリンク信号をＢＳ２００に送信する。幾つかの実施形態においては、同じアンテナが送信アンテナ３０５及び受信アンテナ３０３の両方として用いられる。送信機２０４は、送信前にアップリンクデータ／情報を符号化するための符号器３１６を含む。
【００５３】
ユーザーＩ／Ｏデバイス３０８は、例えば、マイクと、スピーカーと、キーパッドと、キーボードと、マウスと、タッチ画面と、カメラと、ディスプレイと、アラームと、バイブレーション装置と、を含む。様々なユーザーＩ／Ｏデバイス３０８は、ＷＴ３００のピアノード向けであることが意図されているユーザーデータ／情報を入力するために及びＷＴ３００のピアノードからの受信されたデータ／情報を出力するために用いられる。さらに、ユーザーＩ／Ｏデバイス３０８は、様々な機能、例えば、電源投入、電源切断、電話をかける、電話を切る等、を開始するためにＷＴ３００のオペレータによって用いられる。
【００５４】
メモリ３１０は、ルーチン３１８と、データ／情報３２０と、を含む。プロセッサ３０６、例えばＣＰＵ、は、ＷＴ３００の動作を制御するため及び本発明の方法を実装するためにルーチン３１８を実行し、メモリ３１０内のデータ／情報３２０を用いる。
【００５５】
ルーチン３１８は、通信ルーチン３２２と、無線端末制御ルーチン３２４と、を含む。通信ルーチン３２２は、ＷＴ３００によって用いられる様々な通信プロトコルを実装する。無線端末制御ルーチン３２４は、受信機３０２、送信機３０４、及びユーザーＩ／Ｏデバイス３０８の動作を含むＷＴ３００の動作を制御する。無線端末制御ルーチン３２４は、割り当て信号モジュール３２６と、ダウンリンクトラフィックチャネル情報復元モジュール３２８と、ダウンリンクシグナリングモジュール３３０と、アップリンクシグナリングモジュール３３２と、を含む。
【００５６】
割り当て信号モジュール３２６は、受信された割り当て信号を処理し、ＷＴ３００に割り当てられた割り当てダウンリンクトラフィックチャネルセグメントのセグメント識別情報を識別し、割り当て信号に含められているレート情報を復元する、例えば、割り当てられたダウンリンクトラフィックチャネルセグメントに関する特定の割り当てられたデータレートを復元するか又はダウンリンクトラフィックチャネルセグメントに関する特定のレートがダウンリンクトラフィックチャネルセグメントの特別情報ブロックに含められることになることを示す情報を復元する。割り当て信号モジュール３２６は、割り当て復号モジュール３２７と、割り当て型決定モジュール３２９と、を含む。割り当て復号モジュール３２５は、受信された割り当て信号を復号する。割り当て型決定モジュール３２９は、割り当てが、割り当て信号によって割り当て中のダウンリンクチャネルセグメントに対応するデータレートオプションを示す第１の型であるか又は割り当て信号によって割り当て中のセグメントが割り当て信号によって割り当て中のセグメントに含められているユーザーデータに関して用いられるデータレートオプションを示す情報を含むことを示すインジケータを含む第２の型の割り当て信号であるかを決定する。ダウンリンクトラフィックチャネル情報復元モジュール３３４は、特別情報ブロックモジュール３３４と、ユーザーデータモジュールと、を含む。特別情報ブロックモジュール３３４は、ＷＴ３００に割り当てられたダウンリンクトラフィックチャネルセグメントの特別情報ブロックに含められている情報の復元を制御するための動作を実行する。特別情報ブロックモジュール３３８は、フォーマット型決定モジュール３３８と、第１フォーマットモジュール３４０と、第２フォーマットモジュール３４２と、を含む。フォーマット型決定モジュール３３８は、受信されたダウンリンクトラフィックチャネルセグメントの特別情報ブロックの情報ビットを符号化するためにいずれのフォーマット型が用いられているかを決定する。第１フォーマットモジュール３４０は、特別情報ブロックが第１フォーマット型を用いると決定されたときに、特別情報ブロックのコーディングされた情報ビットによって伝達された情報ビットを復元するために動作される。第２フォーマットモジュール３４０は、特別情報ブロックが第２フォーマット型を用いると決定されたときに、特別情報ブロックのコーディングされた情報ビットによって伝達された情報ビットを復元するために動作される。例えば、第１フォーマット型モジュール３４０は、呼び出されたときに用いることができ、２つのレートオプションのうちの特定のレートオプション、例えば、ダウンリンクトラフィックチャネルに関するダウンリンクトラフィックチャネルデータレートオプションがレートオプション３又はレートオプション４のいずれであったかを示す１つのレートオプションビットを含む５つの情報ビットを、１６のＱＰＳＫ変調シンボル値から復元する。他方、第２フォーマットモジュール３４２は、呼び出されたときに用いることができ、８つ以下のレートオプションのうちのいずれの特定のダウンリンクトラフィックチャネルレートオプションであるか、例えば、ダウンリンクトラフィックチャネルセグメントに関するダウンリンクトラフィックチャネルレートオプションがレートオプション５、６、７、８、９、又は１０のいずれであるかを示す３つのレートオプションビットを含む８つの情報ビットを、１６のＱＰＳＫ変調シンボル値から復元する。
【００５７】
ユーザーデータモジュール３３６は、ダウンリンクトラフィックチャネルセグメントからユーザーデータ情報ビットを復元するために動作される。決定されたデータレートオプションは、ユーザーデータ情報復元動作の操作、例えば復号器３１４の動作の制御、に影響を与えるために用いることができる。例えば、幾つかのデータレートオプション、例えばＱＰＳＫを用いるデータレートオプション０、１、２は、特別情報ブロックを用いることができず、その他のデータレートオプション、例えばＱＡＭ１６、ＱＡＭ６４又はＱＡＭ２５６を用いるデータレートオプション３乃至１０は、特別情報ブロックモジュールを採用することができる。幾つかの該実施形態において、特別情報ブロックが採用されないときには、ユーザーデータモジュール３３６は、ユーザーデータ情報ビット復元動作においては、割り当て信号から復元されたデータレートオプション値及びダウンリンクトラフィックチャネルセグメントからの各々の変調シンボル値を用いる。幾つかの該実施形態において、特別情報ブロックモジュールが採用されるときには、ユーザーデータモジュール３３６は、ユーザーデータ情報ビット復元動作においては、特別情報ブロックモジュールの出力によって示されたデータレートオプション及びダウンリンクトラフィックチャネルセグメントからの非特別情報ブロックトーン−シンボルと関連づけられた変調シンボル値を用いる。
【００５８】
ダウンリンクシグナリングモジュール３３０は、ＢＳ２００からのダウンリンク信号であって、ダウンリンクトラフィックチャネルセグメント割り当てメッセージと、ダウンリンクトラフィックチャネル信号と、を含むダウンリンク信号、を受信及び処理するために受信機３０２及び復号器３１４の動作を制御する。幾つかの実施形態においては、ＤＬシグナリングモジュール３３０は、割り当てシグナリングモジュール３２６及び／又はダウンリンクトラフィックチャネル情報復元モジュール３２８と共同で働く。
【００５９】
アップリンクシグナリングモジュール３３８は、ＢＳ２００へのアップリンク信号であって、チャネル品質報告と、干渉報告と、アップリンク資源要求メッセージと、アップリンクトラフィックチャネルセグメントメッセージと、を含むアップリンク信号、を符号化してＢＳ２００に送信するために送信機３０４及び符号器３１６の動作を制御する。
【００６０】
データ／情報３２０は、ＷＴデータ／情報３４４と、システムデータ／情報３６２と、を含む。ＷＴデータ／情報３４４は、ユーザーデータ３４８と、ＷＴ識別（ＩＤ）情報３５０と、基地局ＩＤ情報３５２と、デバイス／セッション／資源情報３５４と、チャネル品質情報３５０と、ダウンリンク干渉情報３５８と、ダウンリンクの割り当てられたセグメント情報３６０と、を含む。ユーザーデータ３４８は、ＷＴ３００と通信セッション中のＷＴ３００のピア向けであり、アップリンクトラフィックチャネルセグメントを通じてＷＴ３００によってＢＳ２００に送信されることが意図されているデータ／情報を含む。ユーザーデータ３４８は、ＷＴ３００と通信セッション中のＷＴ３００のピアが送信源であり、ダウンリンクトラフィックセグメントを介してＢＳ２００から受信されたデータ／情報も含む。
【００６１】
無線端末識別情報３５０は、例えば、ＷＴ  ＩＰアドレスと、ＢＳ２００によって割り当てられたＷＴアクティブユーザー識別子と、を含む。基地局識別子情報３５２は、識別子、例えば、ＷＴ３００が自己の現在のネットワークアタッチメントポイントとして用いている特定のＢＳ２００ネットワークアタッチメントポイントを、無線通信システム内の複数の異なるＢＳネットワークアタッチメントポイントと区別する値、を含む。幾つかの実施形態においては、ＢＳＩＤ情報３４６は、ＢＳネットワークアタッチメントポイントによって使用中の特定のセクター及び／又は搬送周波数を識別する情報を含む。デバイス／セッション／資源情報３５４は、ＷＴ３００に割り当てられたアップリンク及びダウンリンクセグメント、例えばトラフィックチャネルセグメントと、ＷＴ３００と通信セッション中のＷＴ３００のピアノードと関係するアドレス及びルーティング情報を含むセッション情報と、を含む。チャネル品質情報３５０は、ＷＴ３００とＢＳ２００との間の無線通信チャネルに関係する測定された、導出された及び推定された情報、例えば受信されたダウンリンクパイロット信号に基づくチャネル品質報告、を含む。ダウンリンク干渉情報３５８は、ＷＴ３００の干渉レベルを識別する情報、例えばビーコン比報告、を含む。
【００６２】
ダウンリンクの割り当てられたセグメント情報３６０は、例えば受信されたダウンリンクセグメント割り当てメッセージ内の、ＢＳ２００によってＷＴ３００に割り当てられたダウンリンクトラフィックチャネルセグメントを識別する情報を含む。ダウンリンクの割り当てられたセグメント情報３６０は、各々の組がＷＴ３００に割り当てられたダウンリンクトラフィックチャネルセグメントに対応する一組以上の情報（セグメント１情報３６４、セグメントＮ情報３６６）を含む。セグメント１情報３６４は、セグメント識別子３６８と、コーディングされたレート情報３７２を含む割り当て信号情報３７０と、決定された割り当てられたレートオプション３７４と、変調シンボル値３７６と、コーディングされたユーザーデータ３７８と、復元されたユーザーデータ３８０と、幾つかのセグメントの場合における特別ブロック情報３８２と、を含む。セグメント識別子３６８は、ダウンリンクタイミング及び周波数構造内の複数のダウンリンクトラフィックチャネルセグメントの中からダウンリンクトラフィックチャネルセグメントを識別する。割り当て信号情報は、セグメントＩＤ３６８によって識別されたダウンリンクトラフィックチャネルセグメントの受け取り者としてＷＴ３００を識別する、受信された割り当て信号からの情報を含む。コーディングされたレート情報３７２は、レートオプション情報、例えば、ユーザーデータに関するダウンリンクトラフィックチャネルセグメントにおいて用いられる実際のデータレートオプション又はユーザーデータに関するトラフィックチャネルセグメントにおいて用いられる実際のデータレートオプションがダウンリンクトラフィックチャネルセグメントの特別情報ブロックにおいて伝達されることを示す表示のいずれか、を伝達するために指定された割り当て信号内のビットを含む。決定された割り当てられたレートオプション３７４は、ＢＳ２００によって割り当てられてダウンリンクトラフィックチャネルセグメントユーザーデータ信号に関して用いられ、例えば０、１、２等の低レートオプションに関しては割り当て信号モジュール３２６を介して決定され、例えばレートオプション３乃至１０等のより高いレートオプションに関しては特別情報ブロックモジュール３３４によって決定されるデータレートオプションである。変調シンボル値３７６は、コーディングされたユーザーデータを伝達する復元された変調シンボルを含む。幾つかの実施形態においては、ダウンリンクトラフィックチャネルセグメントに関するコーディングされたユーザーデータを伝達する復元された変調シンボル値数は、例えば、特別情報ブロックがダウンリンクトラフィックチャネルセグメントに含められているかどうかに依存して２つのレベルの間で異なる。コーディングされたユーザーデータ３７８は、変調シンボル値３７６からマッピングされたコーディングされたビットのビット値を含み、復元されたユーザーデータ３８０は、コーディングされたユーザーデータビット３７８から復号されたユーザーデータを表す復元された情報ビットを含む。
【００６３】
特別ブロック情報３８２は、変調シンボル値３８４と、コーディングされたビット３８６と、フォーマット型３８８と、復元された情報ビット３９０と、を含む。変調シンボル値３８４は、ダウンリンクトラフィックチャネルセグメントの特別情報ブロックのトーン−シンボルの復元された変調シンボル値、例えば１６のＱＰＳＫ変調シンボル値、を含む。コーディングされたビット３８６は、変調シンボル値３８４に対応するコーディングされた情報ビット、例えば３２のコーディングされたビット、を含む。フォーマット型３８８は、特別情報ブロックが第１又は第２のフォーマット化方法のいずれを用いてフォーマット化されたかを識別する情報を含む。復元された情報ビット３９０は、フォーマット型３８８によって用いられるコーディング方法及びフォーマット化に従ったコーディングされたビット３８６に対応する特別情報ブロックの復元された情報ビットを含む。例えば、幾つかの実施形態においては、第１のフォーマット型が用いられた場合は、レートオプション情報３９２を伝達する１ビット及びその他の情報、例えば電力レベル情報、を伝達する４ビットを含む５つの情報ビットが復元され、第２のフォーマット型が用いられた場合は、レートオプション情報３９２を伝達する３ビット及びその他の情報、例えば電力レベル情報、を伝達する５ビットを含む８つの情報ビットが復元される。
【００６４】
アップリンク／ダウンリンクタイミング及び周波数構造情報３９３は、例えば、シンボルタイミング情報と、トーンスペース情報と、アップリンクトーン数と、ダウンリンクトーン数と、アップリンク搬送波周波数と、ダウンリンク搬送波周波数と、アップリンク帯域幅と、ダウンリンク帯域幅と、トーンのアップリンクの組と、トーンのダウンリンクの組と、アップリンクトーンホッピング情報と、アップリンクドウェル情報と、ダウンリンクトーンホッピング情報と、ダウンリンクトラフィックセグメント構造情報と、アップリンクトラフィックセグメント構造情報と、反復タイミング構造、例えば、シンボル時間間隔及び例えばドウェル、ハーフスロット、スロット、スーパースロット、ビーコンスロット、ウルトラスロット等へのシンボル時間間隔のグループ分けと、割り当て信号とダウンリンクトラフィックチャネルセグメントとの間の関係と、を含む。ダウンリンクトラフィックチャネルセグメント構造情報は、セグメントへのエアリンク資源、例えばトーン−シンボルのグループ分けを識別する情報と、サブセグメントへのセグメントのエアリンク資源のさらなるグループ分けを識別する情報、例えば、ダウンリンクトラフィックチャネルセグメントが特別情報ブロックを採用するデータレートオプションのうちの１つに対応するときに、ダウンリンクトラフィックチャネルセグメントのいずれのトーン−シンボルが特別情報ブロックに関して用いられ、同じダウンリンクトラフィックチャネルセグメントのいずれのトーン−シンボルがコーディングされたユーザーデータブロックに関して用いられるかを識別する情報と、を含む。無線通信システム内の異なるＢＳ２００に対応してＵＬ／ＤＬタイミング及び周波数構造情報３９３の異なる組が存在すること及びＷＴ３００に格納することができる。
【００６５】
ダウンリンクトラフィックチャネル割り当てシグナリング情報３９６は、割り当て信号内のフィールド及び該フィールド内の異なる可能な値の意味を識別する情報、例えば、割り当て信号内のダウンリンクトラフィックチャネルセグメントレートオプションサブフィールドに関係する情報、を含む。例えば、ダウンリンクトラフィックチャネルセグメントに対応する、割り当て信号内の２ビットレートオプションサブフィールドは、ビットパターン（００、０１、又は１０）の指示に従って３つの可能な低レベルレートオプション、例えばレートオプション０、１、２、を伝達することができ、又は、より高いレベルのレートオプションの１つが用いられること及び実際の割り当てられたレートは、ダウンリンクトラフィックチャネルセグメントの一部として特別情報ブロックにおいて伝達されることを伝達することができる。例えば、ビットパターン（１１）は、レートオプション（３乃至１０）のうちの１つが用いられること及び実際のレートは、ダウンリンクトラフィックチャネルセグメントの特別情報ブロックに含まれていることを伝達することができる。
【００６６】
ダウンリンクトラフィックチャネルレートオプション／復号／復調情報３９４は、基地局によってサポートされる様々なダウンリンクトラフィックチャネルデータレートオプションを識別する情報と、各データレートオプションに対応するＭＡＣフレーム数と、各データレートオプションに対応する情報ビット数と、各データレートオプションに対応する用いられたコードワード長及び符号と、各データレートオプションに対応する用いられた変調コンステレーションと、復調方法と、復号方法と、を含む。該情報３９４は、実行される復調動作及び復号動作において用いられる。
【００６７】
特別情報ブロック情報３９７は、第１フォーマットデータ／情報３９８と、第２フォーマットデータ／情報３９９と、を含む。第１フォーマットデータ／情報３９８は、いずれのダウンリンクトラフィックチャネルデータレートオプションが特別情報ブロックに関する第１のフォーマットと関連づけられているかを識別する情報と、第１フォーマット特別情報ブロックの情報ビットフィールドと、各フィールドのビットサイズと、各フィールド内のビット値に与えられた解釈と、例えば情報ビット復元行列を含む使用すべき復号方法と、コーディングされたビットへの変調シンボルのマッピング情報と、用いられる復調方式と、を含む。例えば、第１のフォーマットは、２つのダウンリンクトラフィックチャネルレートオプション３及び４と関連づけることができ、第１フォーマット特別情報ブロックは、レートオプション３又は４のいずれかを示す単ビットレートオプションインジケータ及び４ビット送信電力インジケータ値を含む５つの情報ビットを伝達することができ、コーディングは、Reed-Muller符号に基づくことができ、１６のＱＰＳＫ変調シンボル値にマッピングされた３２のコーディングされたビットを得ることができる。第２フォーマットデータ／情報２７９は、いずれのダウンリンクトラフィックチャネルデータレートオプションが特別情報ブロックに関する第２のフォーマットと関連づけられているかを識別する情報と、第２フォーマット特別情報ブロックの情報ビットフィールドと、各フィールドのビットサイズと、各フィールド内のビット値に与えられた解釈と、例えば情報ビット復元行列を含む使用すべき復号方法と、コーディングされたビットへの変調シンボルマッピング情報と、用いられる復調方式と、を含む。例えば、第２のフォーマットは、２つの予約された指定を有する６つのダウンリンクトラフィックチャネルレートオプション５乃至１０と関連づけることができ、第２フォーマット特別情報ブロックは、レートオプション５乃至１０の範囲からいずれのレートオプションが割り当てられているかを示す３ビットレートオプションインジケータ、及び５ビット送信電力インジケータを含む８つの情報ビットを伝達することができ、コーディングは、Reed-Muller符号に基づくことができ、１６のＱＰＳＫ変調シンボル値にマッピングされた３２のコーディングされたビットを得ることができる。第１及び第２フォーマットデータ／情報３９８、３９９は、各々、例えば第１フォーマット特別情報ブロックに対応する可能なＱＰＳＫ変調シンボル値が第２フォーマット特別情報ブロックに対応する変調シンボル値と異なる、例えば複素平面における異なる象限である、ようにするために、異なる符号グループと関連づけることができる。
【００６８】
基地局識別情報３９５は、通信システムにおいて用いられる異なる基地局セル、セクター及び／又は周波数の間で区別するために用いられる情報を含む。例えば、システム内の異なる隣接セルにおいてパイロットトーン信号傾きの異なる値を用いることができる。
【００６９】
図４は、本発明による典型的ダウンリンクトラフィックチャネルレートオプション情報のテーブル４００の図である。第１のカラム４０２は、トラフィックチャネルレートオプション（０、１、２、３、４、５、６、７、８、９、１０）を示す。第２のカラム４０４は、レートオプション（０、１、２、３、４、５、６、７、８、９、１０）の各々にそれぞれ対応するＭＡＣフレーム数（１、２、３、４、５、６、８、１０、１２、１４、１８）をそれぞれ示す。第３のカラム４０６は、レートオプション（０、１、２、３、４、５、６、７、８、９、１０）の各々にそれぞれ対応する情報ビット数（ｋ）（２２４、４３２、６４０、８４８、１０５６、１２６４、１６８０、２０９６、２５１２、２９２８、３７６０）を示す。第４のカラム４０８は、レートオプション（０、１、２、３、４、５、６、７、８、９、１０）の各々にそれぞれ対応するコードワード長（ｎ）（１３４４、１３４４、１３４４、２６２４、２６２４、２６２４、２６２４、３９３６、３９３６、５２４８、５２４８）を示す。第５のカラム４１０は、レートオプション（０、１、２、３、４、５、６、７、８、９、１０）の各々にそれぞれ対応する用いられる変調コンステレーション（ＱＰＳＫ、ＱＰＳＫ、ＱＰＳＫ、ＱＡＭ１６、ＱＡＭ１６、ＱＡＭ１６、ＱＡＭ１６、ＱＡＭ６４、ＱＡＭ６４、ＱＡＭ２５６、ＱＡＭ２５６）を示す。ＱＰＳＫを用いるレートオプションに関するコードワード長は、６７２のＯＦＤＭトーンーシンボルに対応し、ＱＡＭ１６、ＱＡＭ６４、又はＱＡＭ２５６変調コンステレーションを用いるレートオプションに関しては、コードワード長は、６５６のＯＦＤＭトーン−シンボルに対応することに注目すべきである。
【００７０】
図５は、典型的なダウンリンクトラフィックチャネル割り当てシグナリング情報を含むテーブル５００である。第１のカラム５０２は、レートオプションサブフィールド値を含み、レートオプションサブフィールドは、２ビットを用いる。第２のカラム５０４は、各レートオプションサブフィールド値と関連づけられた意味を識別する注記を含む。第１のロー５０６は、ダウンリンクトラフィックチャネル割り当てレートオプションサブフィールドビットが００である場合は、割り当てられたダウンリンクトラフィックチャネルセグメントにおいてレートオプション０が用いられることを識別する。第２のロー５０８は、ダウンリンクトラフィックチャネル割り当てレートオプションサブフィールドビットが０１である場合は、割り当てられたダウンリンクトラフィックチャネルセグメントにおいてレートオプション１が用いられることを識別する。第３のロー５１０は、ダウンリンクトラフィックチャネル割り当てレートオプションサブフィールドビットが１０である場合は、割り当てられたダウンリンクトラフィックチャネルセグメントにおいてレートオプション２が用いられることを識別する。第４のロー５１２は、ダウンリンクトラフィックチャネル割り当てレートオプションサブフィールドビットが１１である場合は、割り当てられたダウンリンクトラフィックチャネルセグメントにおいてレートオプション３、４、５、６、７、８、９又は１０が用いられ、実際のレートオプションは、割り当てられたダウンリンクトラフィックチャネルセグメントの特別情報ブロックにおいてシグナリングされることを識別する。
【００７１】
図１６は、本発明の様々な実施形態による典型的なダウンリンクトラフィックチャネルセグメント及び変調シンボル連結を示す。ブロック１６００は、６７２の変調シンボルを含む典型的ダウンリンクトラフィックチャネルセグメントを示す。ブロック１６０２は、ダウンリンクトラフィックチャネルセグメント１６００の最上位の変調シンボルの位置を示し、ブロック１６０４は、ダウンリンクトラフィックチャネルセグメント１６０４の最下位変調シンボルの位置を示す。ブロック１６０６は、１６の変調シンボル１６０８の特別情報ブロック及びＭＡＣフレーム及びセグメントＣＲＣ１６１０からの６５６の変調シンボルのブロックを含む典型的ダウンリンクトラフィックチャネルセグメントを示す。典型的ダウンリンクトラフィックチャネルセグメント１６０６は、コーディングされたユーザーデータが、例えば、ＱＰＳＫ、例えばＱＡＭ１６、ＱＡＭ６４又はＱＡＭ２５６以外の変調技術によって伝達されるレートオプション３乃至１０に関して特別情報ブロックが含まれている場合は、典型的ダウンリンクトラフィックチャネルセグメント１６００であることができる。ブロック１６１２は、特別情報ブロック１６０８の最上位変調シンボルの位置を示し、ブロック１６１４は、特別情報ブロック１６１４の最下位変調シンボルの位置を示す。ブロック１６１６は、ＭＡＣフレーム及びセグメントＣＲＣ情報１６１０を含むブロックの最上位変調シンボルの位置を示し、ブロック１６１８は、ＭＡＣフレーム及びセグメントＣＲＣ情報１６１０を含むブロックの最下位変調シンボルの位置を示す。図１６のブロック（１６０２、１６０４、１６０８、１６１０、１６１２、１６１４、１６１６、及び１６１８）は、一定の縮尺で描かれておらず、むしろ相対位置情報を伝達するために含められている。
【００７２】
図６は、２つの典型的ダウンリンクトラフィックチャネルセグメント６００及び６５０を示す。各典型的ダウンリンクトラフィックチャネルセグメントは、幅が４８トーン（トーン０．．トーン４７）で、１６のＯＦＤＭシンボル送信時間間隔のうちの１つの時間間隔を占める。各ダウンリンクトラフィックチャネルセグメント６００、６５０は、６７２のＯＦＤＭトーン−シンボルのエアリンク資源を占め、各ＯＦＤＭトーン−シンボルは、小さい正方形で表されている。各トーン−シンボルは、変調シンボル値を伝達するために用いることができる。典型的セグメント６００は、ＱＰＳＫ、例えばレートオプション０、１、２を用いるダウンリンクトラフィックチャネルセグメントの代表例である。６７２のＯＦＤＭトーン−シンボルの各々は、コーディングされたユーザーデータ／情報ビットに対応するコーディングされたビットを伝達するために用いることができる。典型的セグメント６５０は、ユーザーデータを伝達するためにＱＡＭ１６、ＱＡＭ６４、又はＱＡＭ２５６、例えばレートオプション３、４、５、６、７、８、９、又は１０、を用いるダウンリンクトラフィックチャネルセグメントの代表例である。６７２のＯＦＤＭトーン−シンボルのうちの６５６は、コーディングされたユーザーデータ／情報ビットに対応するコーディングされたビットを伝達するために用いることができる。特別ブロック６５１によって代表されるその他の１６のＯＦＤＭトーン−シンボルは、レートオプション情報及びその他の情報、例えば電力制御情報、を伝達するために用いられる。
【００７３】
図６Ａは、典型的ダウンリンクトラフィックチャネルセグメント６６０を示す。典型的ダウンリンクトラフィックチャネルセグメント６６０は、幅が４８トーン（トーン０．．トーン４７）で、１６のＯＦＤＭシンボル送信時間間隔のうちの１つの時間間隔を占める。典型的ダウンリンクトラフィックチャネルセグメント６６０は、６７２のＯＦＤＭトーン−シンボルのエアリンク資源を占め、各ＯＦＤＭトーン−シンボルは、小さい正方形で表されている。各トーン−シンボルは、変調シンボル値を伝達するために用いることができる。典型的セグメント６６０は、ユーザーデータを伝達するためにＱＡＭ１６、ＱＡＭ６４、又はＱＡＭ２５６、例えばレートオプション３、４、５、６、７、８、９、又は１０、を用いるダウンリンクトラフィックチャネルセグメントの代表例である。６７２のＯＦＤＭトーン−シンボルのうちの６５６は、コーディングされたユーザーデータ／情報ビットに対応するコーディングされたビットを伝達するために用いることができる。特別ブロックによって代表されるその他の１６のＯＦＤＭトーン−シンボルは、レートオプション情報及びその他の情報、例えば電力制御情報、を伝達するために用いられる。本発明のこの実施形態においては、特別ブロックは、２つのより小さいブロック、ブロック６６１及びブロック６６２の複合ブロックである。ブロック６６１及び６６２は、各々が、８つのＯＦＤＭトーンーシンボルを含み、セグメント内において異なるＯＦＤＭシンボルインデックス位置を占める。ダウンリンクトラフィックチャネルセグメント内における異なるＯＦＤＭ送信時間間隔、例えば、第１の及び最後のＯＦＤＭシンボル送信時間間隔、の中に特別情報ブロックの一部分を含めることによって、特別情報ブロックは、フェージング状態の影響をこれまでよりも受けにくくすることができ、レートオプション情報を含む特別情報ブロックによって伝達された情報が無線端末によって成功裏に復元される可能性が向上する。
【００７４】
図７は、２つの典型的ダウンリンクトラフィックチャネルセグメント７００及び７５０を示す。各典型的ダウンリンクトラフィックチャネルセグメントは、幅が２４トーン（トーン４８．．トーン７１）で、３２のＯＦＤＭシンボル送信時間間隔のうちの１つの時間間隔を占める。各ダウンリンクトラフィックチャネルセグメント７００、７５０は、６７２のＯＦＤＭトーン−シンボルのエアリンク資源を占め、各ＯＦＤＭトーン−シンボルは、小さい正方形で表されている。各トーン−シンボルは、変調シンボル値を伝達するために用いることができる。典型的セグメント７００は、ＱＰＳＫ、例えばレートオプション０、１、２、を用いるダウンリンクトラフィックチャネルセグメントの代表例である。６７２のＯＦＤＭトーン−シンボルの各々は、コーディングされたユーザーデータ／情報ビットに対応するコーディングされたビットを伝達するために用いることができる。典型的セグメント７５０は、ユーザーデータを伝達するためにＱＡＭ１６、ＱＡＭ６４、又はＱＡＭ２５６、例えばレートオプション３、４、５、６、７、８、９、又は１０、を用いるダウンリンクトラフィックチャネルセグメントの代表例である。６７２のＯＦＤＭトーン−シンボルのうちの６５６は、コーディングされたユーザーデータ／情報ビットに対応するコーディングされたビットを伝達するために用いることができる。特別ブロック７５１によって代表されるその他の１６のＯＦＤＭトーン−シンボルは、レートオプション情報及びその他の情報、例えば電力制御情報、を伝達するために用いられる。
【００７５】
図８は、２つの典型的ダウンリンクトラフィックチャネルセグメント８００及び８５０を示す。各典型的ダウンリンクトラフィックチャネルセグメントは、幅が１２トーン（トーン７２．．トーン８３）で、６４のＯＦＤＭシンボル送信時間間隔のうちの１つの時間間隔を占める。各ダウンリンクトラフィックチャネルセグメント８００、８５０は、６７２のＯＦＤＭトーン−シンボルのエアリンク資源を占め、各ＯＦＤＭトーン−シンボルは、小さい正方形で表されている。各トーン−シンボルは、変調シンボル値を伝達するために用いることができる。典型的セグメント８００は、ＱＰＳＫ、例えばレートオプション０、１、２、を用いるダウンリンクトラフィックチャネルセグメントの代表例である。６７２のＯＦＤＭトーン−シンボルの各々は、コーディングされたユーザーデータ／情報ビットに対応するコーディングされたビットを伝達するために用いることができる。典型的セグメント８５０は、ユーザーデータを伝達するためにＱＡＭ１６、ＱＡＭ６４、又はＱＡＭ２５６、例えばレートオプション３、４、５、６、７、８、９、又は１０、を用いるダウンリンクトラフィックチャネルセグメントの代表例である。６７２のＯＦＤＭトーン−シンボルのうちの６５６は、コーディングされたユーザーデータ／情報ビットに対応するコーディングされたビットを伝達するために用いることができる。特別ブロック８５１によって代表されるその他の１６のＯＦＤＭトーン−シンボルは、レートオプション情報及びその他の情報、例えば電力制御情報、を伝達するために用いられる。
【００７６】
図９は、ダウンリンクトラフィックチャネルセグメントレートオプション情報及び対応する特別情報ブロック情報を説明するテーブル９００である。第１のカラム９０２は、ダウンリンクトラフィックチャネルセグメントレートオプション範囲を示し、第２のカラム９０４は、特別情報ブロックが用いられるかどうかを示し、第３のカラム９０６は、使用時の特別情報ブロックのフォーマット型を識別する。第１のロー９０８は、ダウンリンクトラフィックチャネルレートオプション０乃至２に関して、特別情報ブロックが実装されないことを説明する。第２のロー９１０は、レートオプション３乃至４に関して、特別情報ブロックがダウンリンクトラフィックチャネルセグメントに含められていること、及び特別情報ブロックは第１の型のフォーマットであるフォーマット１を用いることを説明する。第３のロー９１２は、レートオプション５乃至１０に関して、特別情報ブロックがダウンリンクトラフィックチャネルセグメントに含められていること、及び特別情報ブロックは第２の型のフォーマットであるフォーマット２を用いることを説明する。
【００７７】
図１０は、典型的フォーマット１を用いるダウンリンクトラフィックチャネルセグメント内の典型的特別情報ブロックを説明するテーブル１０００である。第１の型のフォーマットを用いる典型的特別情報ブロックは、５つの情報ビットを伝達する。第１のカラム１００２は、特別情報ブロックと関連づけられたパラメータを識別し、第２のカラム１００４は、各パラメータと関連づけられた情報ビットサイズを含み、第３のカラム１００６は、情報ビットが表すことができる値を識別し、第４のカラム１００８は、値と関連づけられた注記を含む。第１のロー１０１０は、１つの情報ビットによって表されるレートインジケータパラメータが０の値に等しい場合は、ダウンリンクトラフィックチャネルセグメントはレートオプション３を用いることを示す。第２のロー１０１２は、１つの情報ビットによって表されるレートインジケータパラメータが１の値に等しい場合は、ダウンリンクトラフィックチャネルセグメントはレートオプション４を用いることを示す。第３のロー１０１４は、４つの情報ビットによって表される送信電力インジケータパラメータが、０．．１５の範囲の整数値ｎを有することができ、送信電力インジケータ値はダウンリンクトラフィックチャネルセグメントの送信電力を示し、ここで、この値は、ダウンリンクトラフィックチャネルセグメントのトーン当たりの相対送信電力がダウンリンクトラフィックチャネル電力オフセット＝ｎ／４＋２ｄＢを有することを示す負でない整数ｎである。
【００７８】
図１１は、典型的フォーマット２を用いるダウンリンクトラフィックチャネルセグメント内の典型的特別情報ブロックを説明するテーブル１１００である。第２の型のフォーマットを用いる典型的特別情報ブロックは、８つの情報ビットを伝達する。第１のカラム１１０２は、特別情報ブロックと関連づけられたパラメータを識別し、第２のカラム１１０４は、各パラメータと関連づけられた情報ビットサイズを含み、第３のカラム１１０６は、情報ビットが表すことができる値を示し、第４のカラム１１０８は、値と関連づけられた注記を含む。第１のロー１１１０は、３つの情報ビットによって表されるレートインジケータパラメータが０の値に等しい場合は、ダウンリンクトラフィックチャネルセグメントはレートオプション５を用いることを示す。第２のロー１１１２は、３つの情報ビットによって表されるレートインジケータパラメータが１の値に等しい場合は、ダウンリンクトラフィックチャネルセグメントはレートオプション６を用いることを示す。第３のロー１１１４は、３つの情報ビットによって表されるレートインジケータパラメータが２の値に等しい場合は、ダウンリンクトラフィックチャネルセグメントはレートオプション７を用いることを示す。第４のロー１１６は、３つの情報ビットによって表されるレートインジケータパラメータが３の値に等しい場合は、ダウンリンクトラフィックチャネルセグメントはレートオプション８を用いることを示す。第５のロー１１１８は、３つの情報ビットによって表されるレートインジケータパラメータが４の値に等しい場合は、ダウンリンクトラフィックチャネルセグメントはレートオプション９を用いることを示す。第６のロー１１２０は、３つの情報ビットによって表されるレートインジケータパラメータが５の値に等しい場合は、ダウンリンクトラフィックチャネルセグメントはレートオプション１０を用いることを示す。第７のロー１１２２は、３つの情報ビットによって表されるレートインジケータパラメータが６の値に等しい場合は、予約された状態であることを示す。第８のロー１１２４は、３つの情報ビットによって表されるレートインジケータパラメータが７の値に等しい場合は、予約された状態であることを示す。第９のロー１１２６は、５つの情報ビットによって表される送信電力レートインジケータパラメータが、０．．３１の範囲の整数値ｎを有することができ、送信電力インジケータ値はダウンリンクトラフィックチャネルセグメントの送信電力を示し、ここで、この値は、ダウンリンクトラフィックチャネルセグメントのトーン当たりの相対送信電力がダウンリンクトラフィックチャネル電力オフセット＝ｎ／４＋２ｄＢを有することを示す負でない整数ｎである。
【００７９】
図１２は、１６の典型的変調シンボル（Ｓ０、Ｓ１、Ｓ２、Ｓ３、Ｓ４、Ｓ５、Ｓ６、Ｓ７、Ｓ８、Ｓ９、Ｓ１０、Ｓ１１、Ｓ１２、Ｓ１３、Ｓ１４、Ｓ１５）を含む典型的特別情報ブロック１２０２を含む。テーブル１２０４は、１つのレートオプションインジケータビットを含む５つの情報ビットを伝達するためにグループＡの符号が第１の型のフォーマットに関して用いられることを識別する。複素平面のグラフであるグラフ１２０８は、グループＡ符号が、変調シンボル値１２１０及び変調シンボル値１２１４によって示されるように、４つの象限のうちの対角に位置する２つの指定された象限内にあることができるＱＰＳＫ変調シンボル値を用いることを示す。テーブル１２０６は、３つのレートオプションインジケータビットを含む８つの情報ビットを伝達するためにグループＢの符号が第２の型のフォーマットに関して用いられることを識別する。複素平面のグラフであるグラフ１２１６は、グループＢ符号が、変調シンボル値１２１８及び変調シンボル値１２２０によって示されるように、４つの象限のうちの対角に位置する２つの指定された象限内にあることができるＱＰＳＫ変調シンボル値を用いることを示す。グループＡの符号に関して用いられる２つの象限は、型Ｂの符号に関して用いられる２つの象限とは異なることに注目すべきである。
【００８０】
本発明の一特長により、特別情報ブロックを含むことが例えば割り当て信号を介して知られているダウンリンクトラフィックチャネルセグメントを受信するＷＴは、特別情報セグメントの１６の変調シンボルのエネルギーを捕捉し、２つの可能な対角線のうちのいずれに沿ってエネルギーを蓄積中であるかを識別することができる。このことは、用いられているフォーマットを識別し、特別情報ブロックのコーディングされたビットを復号することができ、レートオプションインジケータビットを含む原情報ビットを復元させることができる。
【００８１】
本発明の幾つかの実施形態の他の特長により、モバイルノードの復号能力は、ビット数と一致させることができる。モバイルノードが、特別情報ブロックと関連づけられた小さい符号を成功裏に復号できない場合は、モバイルノードは、コーディングされたユーザー情報ビットをダウンリンクトラフィックチャネルセグメントのＱＡＭ１６、ＱＡＭ６４、又はＱＡＭ２５６を用いて復号することができない可能性が高い。さらに、幾つかの実施形態においては、特別情報ブロックは、第１の数の情報ビットを伝達するために符号化中のときには、データレートオプションの第１の組と一致され、第２の数の情報ビットを伝達するために符号化中のときには、データレートオプションの第２の組と一致され、データレートオプションの第１の組は、データレートオプションの第２の組よりも低く、第１の数の情報ビットは、第２の数の情報ビットよりも少ない。例えば、１１のダウンリンクトラフィックチャネルデータレートオプション（０乃至１０）を使用しており、最低のデータレートオプションは、ダウンリンクトラフィックチャネルセグメントにおいて通信中であるユーザーデータの１つのフレームを表すデータレートオプション０であり、最高のデータレートオプション１０は、ダウンリンクトラフィックチャネルセグメントにおいて通信中のユーザーデータの１８のフレームを表す典型的実施形態を考慮すること。データレートオプションの最低の組（０乃至２）に関する一実施形態においては、特別情報ブロックは用いられず、ＱＰＳＫ変調コンステレーションがコーディングされたユーザーデータビットに関して用いられる。中間レベルのデータレートオプション（３乃至４）に関しては、１つのデータレートオプションビットを含む５つの情報ビットを有する特別情報ブロックが用いられ、ＱＡＭ１６変調コンステレーションがコーディングされたユーザーデータビットに関して用いられる。高レベルのデータレートオプション（５乃至１０）に関しては、データレートオプションを伝達するための３つの情報ビットを含む８つの情報ビットを有する特別情報ブロックが用いられ、ＱＡＭ１６、ＱＡＭ６４、又はＱＡＭ２５６変調コンステレーションのうちの１つがコーディングされたユーザーデータビットに関して用いられ、ＱＡＭ１６、ＱＡＭ６４、又はＱＡＭ２５６のうちの１つは、データレートオプションの関数である。
【００８２】
図１３は、本発明により、第１のフォーマットを用いるダウンリンクトラフィックチャネルセグメントの特別情報ブロックに関して情報ビットをコーディングされたビットにする典型的処理及び変調シンボルへのコーディングされたビットの典型的マッピングを示す図１３００である。図１３は、典型的な第１のフォーマットに関する処理及びマッピングを示し、１つのレートインジケータオプションビットを含む５つの情報ビットから３２のコーディングされたビットを入手し、これらのコーディングされたビットを特別情報ブロックの１６の変調シンボルにマッピングする。情報ビットベクトル１３０２に生成行列（Ｇ６，３２）１３０４が乗じられてコーディングされたビットベクトル１３０６が生成され、ここで、ベクトル及び行列の各要素は、０又は１である。情報ビットベクトル（ｂ４ｂ３ｂ２ｂ１ｂ００）１３０８は、情報ビットベクトル１３０２であることができ、ここで、各ビットｂ４、．．．，ｂ０は、５つの情報ビットのうちの１つであり、情報ビットのうちの１つ、例えばｂ４，は、レートオプションインジケータビットであることができる。Ｒｅｅｆ−Ｍｕｌｌｅｒ符号を用いる生成行列１３１０は、生成行列１３０４であることができ、コーディングされた出力ビットベクトル（Ｘ３１，Ｘ３０，．．．，Ｘ０）１３１２は、コーディングされたビットベクトル１３０６であることができる。ブロック１３１４は、ベクトル１３１２からのコーディングされたビット対を変調シンボルにマッピングする典型的マッピングを示す。ブロック１３１６は、変調シンボルＳ０が最上位変調シンボルとして指定され、変調モジュールＳ１５が最下位変調シンボルとして指定されること及び１６の変調シンボルの各々はコーディングされたビット対（０，０）又は（１，１）のいずれかを表すことを示す。
【００８３】
図１４及び図１５は、本発明により、第２のフォーマットを用いるダウンリンクトラフィックチャネルセグメントの特別情報ブロックに関して情報ビットをコーディングされたビットにする典型的処理及び変調シンボルへのコーディングされたビットの典型的マッピングを示す図（１４００、１５００）である。図１４及び図１５は、２つ一組で、典型的第２のフォーマットに関する処理及びマッピングを示し、３つのレートインジケータオプションビットを含む８つの情報ビットから３２のコーディングされたビットを入手し、コーディングされたビットを特別情報ブロックの１６の変調シンボルにマッピングする。情報ビットベクトル１４０２に生成行列（Ｇ５，１６）１４０４が乗じられてコーディングされたビットベクトル１４０６が生成され、ここで、ベクトル及び行列の各要素は、０又は１である。情報ビットベクトル（ｂ７ｂ６ｂ５ｂ４１）１４０８は、情報ビットベクトル１４０２であることができ、ここで、各ビットｂ７、．．．，ｂ４は、８つの情報ビットのうちの１つであり、情報ビットのうちの３つ、例えばｂ７、ｂ６、ｂ５は、レートオプションインジケータビットであることができる。Ｒｅｅｆ−Ｍｕｌｌｅｒ符号を用いる生成行列１４１０は、生成行列１４０４であることができ、コーディングされた出力ビットベクトル（Ｘ１５，Ｘ１４，．．．，Ｘ０）１４１２は、コーディングされたビットベクトル１４０６であることができる。ブロック１４１４は、ベクトル１４１２からのコーディングされたビット対を８つの変調シンボルにマッピングする典型的マッピングを示す。ブロック１４１６は、変調シンボルＳ０が最上位変調シンボルとして指定されること及び８つの変調シンボルのうちの各々はコーディングされたビット対（１，０）又は（０，１）のいずれかを表すことを示す。情報ビットベクトル１５０２に生成行列（Ｇ５，１６）１５０４が乗じられてコーディングされたビットベクトル１５０６が生成され、ここで、ベクトル及び行列の各要素は、０又は１である。情報ビットベクトル（ｂ３ｂ２ｂ１ｂ０１）１４０８は、情報ビットベクトル１４０２であることができ、ここで、各ビットｂ７、．．．，ｂ４は、８つの情報ビットのうちの１つである。Ｒｅｅｆ−Ｍｕｌｌｅｒ符号を用いる生成行列１５１０は、生成行列１５０４であることができ、コーディングされた出力ビットベクトル（Ｘ１５，Ｘ１４，．．．，Ｘ０）１５１２は、コーディングされたビットベクトル１５０６であることができる。ブロック１５１４は、ベクトル１５１２からのコーディングされたビット対を８つの変調シンボルにマッピングする典型的マッピングを示す。ブロック１５１６は、変調シンボルＳ１５が最下位変調シンボルとして指定されること及び８つの変調シンボルのうちの各々はコーディングされたビット対（１，０）又は（０，１）のいずれかを表すことを示す。
【００８４】
幾つかの実施形態においては、３つのコーディングされたレートオプションビットは、情報ビットベクトル１４０８内ではなく情報ビットベクトル１５０８内に含めることができ、その他の実施形態においては、３つのレートオプションインジケータビットは、情報ビットベクトル１４０８と１５０８との間で分割し、幾つかのレートオプションインジケータビットを各ベクトル１４０８、１５０８に含めることができる。
【００８５】
例えば複素平面において値（１＋ｉ）を有する、第１象限におけるＱＰＳＫ変調シンボルを表すためにコーディングされたビットパターン（０，０）がマッピングされ、例えば複素平面において値（−１−ｉ）を有する、第２の対角象限におけるＱＰＳＫ変調シンボルを表すためにコーディングされたビットパターン（１，１）がマッピングされ、例えば値（１，−ｉ）を有する、第３象限におけるＱＰＳＫ変調シンボルを表すためにコーディングされたビットパターン（１，０）がマッピングされ、例えば複素平面において値（−１，ｉ）を有する、第３象限と対角的に反対の第４の象限におけるＱＰＳＫ変調シンボルを表するためにコーディングされたビットパターン（０，１）がマッピングされることについて考慮すること。特別情報ブロックが第１の型のフォーマットである場合は、１６の変調シンボル値の各々は２つから成る第１の組に入り、特別情報ブロックが第２の型のフォーマットである場合は、１６の変調シンボルの各々は、２つから成る第２の組に入り、前記第２の組は、前記第１の組と互いに排他的である。特別情報ブロック変調信号を受信する無線端末は、最初に、信号がこれらの２つの組のいずれに対応するかを決定することができ、用いられた対応するフォーマット型を決定することができ、決定されたフォーマット型を用いて信号を復号して伝達中のレートオプションを復元することができる。
【００８６】
図１７は、本発明による典型的基地局動作方法の流れ図１７００である。動作はステップ１７０２において開始し、基地局に電源が投入されて初期設定される。各ダウンリンクトラフィックチャネルセグメントに関して、動作はステップ１７０４に進む。ステップ１７０４において、基地局は、ダウンリンクトラフィックチャネルセグメントに関して割り当てられる無線端末及びセグメントに関して用いるレートオプション、例えばコーディングレート情報及び変調方式に対応するデータレートオプション、を決定する。幾つかの実施形態においては、基地局は、例えばマルチキャスト割り当て又はブロードキャストの一部として２人以上のユーザーにダウンリンクトラフィックチャネルセグメントを割り当てることができる。幾つかの実施形態においては、例えばシステムローディングレベルが低いことに起因して特定のダウンリンクトラフィックチャネルセグメントに関して送信すべきユーザー情報が存在しない場合は、基地局は、セグメントを割り当てられていない状態のままにするか又はセグメントが割り当てられていないことを意味するダミー割り当てを送信し、のちにそのダウンリンクトラフィックチャネルセグメントに関して送信しないようにすることができる。ダウンリンクトラフィックチャネルセグメントに関する割り当て及び該セグメントのレートオプションをいずれの無線端末が受信するかの決定は、基地局のスケジューラの方針上の規則に従って行うことができ、例えば部分的には無線端末から受信されたビーコン比報告等のフィードバック報告から導き出された干渉レベル情報を用いることを含めることができる。動作は、ステップ１７０４からステップ１７０６に進む。
【００８７】
ステップ１７０６において、基地局は、ダウンリンクトラフィックチャネルセグメントに関する決定されたレートオプションがＱＰＳＫ変調又は異なる変調方式、例えばＱＡＭ１６、ＱＡＭ６４、ＱＡＭ２５６のうちの１つ、に対応するかどうかを決定する。例えば、ダウンリンクトラフィックチャネルは、各々がコーディングレート及び変調方式と関連づけられている１１の異なるレートオプションをサポートすることができ、これらの１１のうちの最低の３つのデータレートオプションであるレートオプション０、１、及び２は、ＱＰＳＫ変調を用いることができる。ステップ１７０６の決定が、決定されたレートオプションはＱＰＳＫ変調に対応するという決定である場合は、動作はステップ１７０８に進み、その他の場合は、動作はステップ１７１０に進む。
【００８８】
ステップ１７０８において、基地局は、ダウンリンクトラフィックチャネルセグメントに関するレートオプションを符号化し、例えばレートオプション０、１、又は２を示すダウンリンクトラフィックチャネルセグメントに対応する割り当て信号内に入れる。幾つかの実施形態においては、ダウンリンクタイミング構造を有するダウンリンクトラフィックチャネルセグメントと割り当て信号を結びつける一定の予め決められた関連性が存在する。次に、ステップ１７１２において、基地局は、ダウンリンクシグナリングを介して割り当て信号を無線端末に送信する。動作は、ステップ１７１２からステップ１７１４に進む。ステップ１７１４において、基地局は、決定されたレートオプションに対応するコーディングレートを用いてダウンリンクトラフィックチャネルセグメントに関するユーザーデータを符号化する。動作は、ステップ１７１４からステップ１７１６に進む。ステップ１７１６において、基地局は、ステップ１７１４の動作からのコーディングされたビットを、ＱＰＳＫを用いて変調シンボル値内にマッピングする。動作はステップ１７１６からステップ１７１８に進む。ステップ１７１８において、基地局が動作され、変調シンボル値とトラフィックチャネルセグメントのトーン−シンボルが関連づけられる。次に、ステップ１７２０において、基地局が動作されてダウンリンクトラフィックチャネルセグメント信号が送信される。
【００８９】
ステップ１７０６に戻り、ステップ１７０６において、決定されたレートオプションがＱＰＳＫ変調に対応していなかった場合は、動作は、ステップ１７０６からステップ１７１０に進む。例えば、ダウンリンクトラフィックは、ダウンリンクトラフィックチャネルセグメントに関する１１の異なるレートオプションをサポートすることができ、８つの最高のデータレートオプション、レートオプション３乃至１０、は、非ＱＰＳＫ変調に対応することができる。ステップ１７１０において、基地局が動作されて、ダウンリンクトラフィックチャネルセグメントに対応し、ダウンリンクトラフィックチャネルセグメントに関する特定のレートオプション値がダウンリンクトラフィックチャネルセグメントの特別情報ブロックにおいて伝達されることを示す情報が割り当て信号において符号化される。例えば、割り当て信号は、レートオプション情報と関連づけられた２つのビットを含むフィールドを有することができ、これらの２つのビットの値が特定のパターン、例えば１１、である場合は、そのパターンは、ダウンリンクトラフィックチャネルセグメントに関するレートオプション値が該セグメントの特別情報ブロックにおいて伝達されること、及びレートオプション値は例えば３乃至１０の範囲内になることを意味する。動作は、ステップ１７１０からステップ１７２２に進み、ステップ１７２２において、基地局が動作され、割り当て信号が無線端末に送信される。動作は、ステップ１７２２からステップ１７２４に進む。
【００９０】
ステップ１７２４において、基地局が動作され、決定されたレートオプションが第１又は第２のフォーマットに対応するか決定される。例えば、典型的レートオプション３乃至１０は、特別情報ブロックに関して用いられる２つの異なるフォーマットに対応するように分割することができる。第１のフォーマットは、低いほうのデータレート、例えばレートオプション３乃至４、に対応することができ、第２のフォーマットは、高いほうのデータレート、例えばレートオプション５乃至１０、に対応することができる。ステップ１７２４において、決定されたレートオプションが第１の特別ブロックフォーマットに対応することが決定された場合は、動作は、ステップ１７２６及び１７２８に進む。ステップ１７２４において、決定されたレートオプションが第２の特別ブロックフォーマットに対応することが決定された場合は、動作は、ステップ１７３０及び１７３２に進む。
【００９１】
ステップ１７２６において、基地局が動作され、決定されたレートオプション、例えばレートオプション３又は４のうちの１つ、に対応するコーディングレートを用いてダウンリンクトラフィックチャネルセグメントに関するユーザーデータが符号化される。動作は、１７２６からステップ１７３４に進み、ステップ１７３４において、基地局が動作され、決定されたレートオプションに従って、例えばＱＡＭ１６を用いて、ステップ１７２６からのコーディングされたビットが変調シンボル値内にマッピングされる。
【００９２】
ステップ１７２８において、基地局が動作され、レートオプション情報に関する１つのビットを含む５つの情報ビットが、第１のコーディング方法を用いてコーディングされて３２のコーディングされたビットになり、例えば、各コーディングされたビット対が（００）又は（１１）のうちの１つである１６のコーディングされたビット対が生成される。幾つかの実施形態においては、Ｒｅｅｄ−Ｍｕｌｌｅｒ符号がステップ１７２８において用いられる。
【００９３】
ステップ１７３２において、基地局が動作され、決定されたレートオプション、例えばレートオプション５、６、７、８、９、１０のうちの１つ、に対応するコーディングレートを用いてダウンリンクトラフィックチャネルセグメントに関するユーザーデータが符号化される。動作は、１７３２からステップ１７４２に進み、ステップ１７４２において、基地局が動作され、決定されたレートオプションに従って、例えばレートオプション５−６に対応するＱＡＭ１６、レートオプション７−８に対応するＱＡＭ６４、又はレートオプション９−１０に対応するＱＡＭ２５６を用いて、ステップ１７３２からのコーディングされたビットが変調シンボル値内にマッピングされる。
【００９４】
ステップ１７３０において、基地局が動作され、レートオプション情報に関する３つのビットを含む８つの情報ビットが第２のコーディング方法を用いてコーディングされて３２のコーディングされたビットになり、例えば、各コーディングされたビット対が（１０）又は（０１）のうちの１つである１６のコーディングされたビット対が生成される。幾つかの実施形態においては、Ｒｅｅｄ−Ｍｕｌｌｅｒ符号がステップ１７３０において用いられる。
【００９５】
動作は、ステップ１７２８又はステップ１７３０からステップ１７３８に進み、ステップ１７３８において、基地局が動作され、ＱＰＳＫを用いて３２のコーディングされたビットが変調シンボル内にマッピングされる。動作は、ステップ１７３８からステップ１７４０に進み、ステップ１７４０において、基地局が動作され、変調シンボル値が、特別ブロック情報用に予約されたダウンリンクトラフィックチャネルセグメントのトーン−シンボルと関連づけられる。
【００９６】
動作は、ステップ１７３４又はステップ１７４２から１７３６に進み、基地局が動作され、ステップ１７３４又はステップ１７４２からの変調シンボル値が、ユーザーデータ部分用に予約されたトラフィックチャネルセグメントのトーン−シンボルと関連づけられる。
【００９７】
動作は、ステップ１７４０及びステップ１７３６からステップ１７２０に進み、ステップ１７２０において、基地局が動作され、ダウンリンクトラフィックチャネルセグメント信号が送信される。
【００９８】
本発明の一部のただし必ずしもすべてではない実施形態において用いられるダウンリンクトラフィックチャネルセグメント割り当て信号は、送信時間及び／又は周波数の点で、割り当て信号によって割り当て中のトラフィックチャネルセグメントと一定の予め決められた関係を有する。本発明の様々な実施形態におけるダウンリンク割り当て信号は、個々の無線端末、アクティブな無線端末のグループ、又は無線端末のヌルグループに対応する無線端末識別子を含むことができ、該ヌルグループは、幾つかの実施形態においてはアクティブ無線端末が割り当てられず、アクティブ端末に関するデータを搬送することが意図されていないセグメント、例えば未使用状態になるセグメント、に関して用いられる無線端末グループである。従って、マルチキャスト送信の場合は、ＷＴグループ識別子を割り当て信号内に含めることができ、グループのメンバーは、割り当てられたダウンリンクトラフィックセグメントを聴く及び用いることになる。
【００９９】
図１８は、本発明による典型的な無線端末動作方法の流れ図１８００である。典型的方法は、ステップ１８０２において開始し、ステップ１８０２において、無線端末に電源が投入されて初期設定される。動作は、ステップ１８０２からステップ１８０４に進み、ステップ１８０４において、無線端末は、ダウンリンクトラフィックセグメント割り当て信号を受信する。動作は、ステップ１８０４からステップ１８０６に進む。ステップ１８０６において、無線端末は、割り当てられたダウンリンクトラフィックチャネルセグメントに対応する割り当てられた無線端末又は複数の無線端末を示す受信された割り当て信号情報を復号する。ダウンリンクトラフィックチャネルセグメント割り当ては、単一のＷＴに対応するユニキャスト割り当てであることができ、又は、ダウンリンクトラフィックチャネルセグメント割り当ては、ＷＴのグループに対応するマルチキャスト割り当てであることができる。動作は、ステップ１８０６からステップ１８０８に進む。
【０１００】
ステップ１８０８において、ＷＴは、受信されたダウンリンクトラフィックチャネル割り当てがＷＴに向けられているかどうかを決定する。ステップ１８０８において、割り当てがＷＴ自体に向けられていないとＷＴが決定した場合は、動作は、ステップ１８０８からステップ１８０４に戻り、ステップ１８０４において、ＷＴは、追加のダウンリンクトラフィックチャネルセグメント割り当て信号を受信する。しかしながら、ステップ１８０８において、割り当てがＷＴ自体に向けられているとＷＴが決定した場合は、動作は、ステップ１８０８からステップ１８１０及び１８１２に進む。
【０１０１】
ステップ１８１０において、ＷＴは、レートオプション情報を示す受信された割り当て信号情報をさらに復号し、データレートオプションインジケータ値又はデータレートオプションインジケータ値が対応するダウンリンクトラフィックチャネルセグメントに含められていることの表示を入手する。例えば、ＷＴは、図４に示されるように１１のダウンリンクデータレートオプションをサポートすることができ、割り当て信号は、２ビットのレートオプションフィールドを含むことができ、ここで、パターン００は、データレートオプション０を示し、パターン０１は、データレートオプション１を示し、パターン１０は、データレートオプション２を示し、パターン１１は、レートオプションが特別情報ブロック部分内の対応するダウンリンクトラフィックチャネルセグメントにおいて示されること及びレートオプションがレートオプション３乃至１０のうちの１つになることを示す。
【０１０２】
ステップ１８１２において、ＷＴは、割り当てられたセグメントに対応するトラフィックチャネルセグメント信号を受信し、受信されたトラフィックチャネルセグメント信号１８１４を入手する。受信されたトラフィックチャネル信号１８１４は、ステップ１８２０及び／又は１８２８への入力として用いられる。
【０１０３】
動作は、ステップ１８１０からステップ１８１６に進む。ステップ１８１６において、ＷＴは、復号されたレートオプション情報がダウンリンクトラフィックチャネルセグメントにおいて使用中の特定のデータレートオプションを示すかどうかを決定する。復号されたレートオプション情報が特定の示されたデータレートオプションを含まない場合は、動作は、ステップ１８１８に進む。その他の場合は、動作は、ステップ１８２０に進む。
【０１０４】
ステップ１８１８において、ＷＴは、示されたデータレートオプションから、ダウンリンクトラフィックチャネルセグメントに関する変調方法、コーディングレート及び変調シンボルマッピングのうちの１つ以上を決定する。例えば、データレート０は、ユーザーデータのマッピングされたコーディングされたビットに対応するダウンリンクトラフィックチャネルセグメントのＱＰＳＫ変調コンステレーション、２２４の情報ビット、１３４４のコーディングされたビット、及び各々のＯＦＤＭトーン−シンボルに対応することができる。データレート１が、ユーザーデータのマッピングされたコーディングされたビットに対応するダウンリンクトラフィックチャネルセグメントのＱＰＳＫ変調コンステレーション、４３２の情報ビット、１３４４のコーディングされたビット、及び各々のＯＦＤＭトーン−シンボルに対応することができる場合は、データレート２は、ユーザーデータのマッピングされたコーディングされたビットに対応するダウンリンクトラフィックチャネルセグメントのＱＰＳＫ変調コンステレーション、６４０の情報ビット、１３４４のコーディングされたビット、及び各々のＯＦＤＭトーン−シンボルに対応することができる。例えば、ダウンリンクトラフィックチャネルセグメントは、７６８のＯＦＤＭトーン−シンボルを含むことができ、７６８のＯＦＤＭトーンーシンボルの各々は、データレートオプション０、１、又は２の各々に関するマッピングされたコーディングされたユーザーデータビットのＱＰＳＫ変調シンボルを伝達するために用いることができる。動作は、ステップ１８１８からステップ１８２８に進む。
【０１０５】
ステップ１８２０において、無線端末は、受信されたトラフィックチャネルセグメント信号１８１４の特別情報ブロック部分を復号し、ダウンリンクトラフィックチャネルセグメントのユーザーデータ部分に関して用いられるデータレートオプションを入手する。例えば典型的システムにおいては、ダウンリンクトラフィックチャネルセグメントは、７６８のＯＦＤＭトーン−シンボルを含むことができ、データレートオプション３乃至１０を使用時は、ダウンリンクトラフィックチャネルセグメントは、１６のトーン−シンボルから成る特別情報ブロック及び７５２のトーン−シンボルから成るユーザーデータブロックに分割される。ステップ１８２０は、サブステップ１８２２と、サブステップ１８２４と、を含む。サブステップ１８２２において、無線端末は、特別情報ブロックの復元された変調シンボルが符号の第１の組又は第２の組に属するかを決定する。例えば、特別情報ブロックは、ＱＰＳＫ変調シンボルを用いることができ、符号の第１の組は、ＱＰＳＫ変調シンボル（０，０）及び（１，１）を用いることができ、符号の第２の組は、ＱＰＳＫ変調シンボル（１，０）又は（０，１）を用いることができる。サブステップ１８２４において、無線端末は、符号の第１の組に関する第１のフォーマットに従い又は符号の第２の組に関する第２のフォーマットに従い特別情報ブロックにおいて伝達されたコーディングされたビットを復号する。例えば、符号の第１の組は、例えば図４のレートオプション３又はデータレートオプション４を示す１つのレートオプションインジケータビットを含む５つの情報ビットが伝達される第１のフォーマットに対応することができ、符号の第２の組は、例えば図５のレートオプション５乃至１０のうちの１つを示す３つのデータレートインジケータビットを含む８つの情報ビットが伝達される第２のフォーマットに対応することができる。サブステップ１８２２において符号の組を決定済みであるＷＴは、ステップ１８２４において該当するフォーマットに従って復号し、データレートオプションインジケータ値を復元させる。動作は、ステップ１８２０からステップ１８２６に進む。
【０１０６】
ステップ１８２６において、ＷＴは、決定された示されたデータレートオプションから、ダウンリンクトラフィックチャネルセグメントに関する変調方法、コーディングレート、及び変調シンボルマッピングのうちの１つ以上を決定する。例えば、ステップ１８２４は、図４において示されるデータレートオプション３乃至１０のうちの１つを決定し、関連するコーディングレート、変調コンステレーション、例えば、ＱＡＭ１６、ＱＡＭ６４又はＱＡＭ２５６、及びダウンリンクトラフィックチャネルセグメントの７５２のトーン−シンボルへのコーディングされたユーザーデータビットのマッピングを伴うことについて考慮すること。動作は、ステップ１８２６からステップ１８２８に進む。
【０１０７】
ステップ１８２８において、ＷＴは、例えば、復調及び復号を介して、ステップ１８１８又はステップ１８２６のいずれかから入手された決定された変調シンボルマッピング情報、変調方法情報、及びコーディングレート情報を用いてダウンリンクトラフィックチャネルセグメントにおいて通信されたユーザーデータ情報ビットを復元する。ステップ１８２８は、受信されたトラフィックチャネル信号１８１４、例えばユーザーデータと関連づけられたトラフィックチャネル信号、の処理を含む。
【０１０８】
本特許出願は、ＯＦＤＭ、ＣＤＭＡ及び／又はその他の様々な通信方法に基づいて通信システムを実装するために用いることができる数多くの方法及び装置を対象とするものである。従って、本発明の方法及び装置の多くは、ＯＦＤＭシステムに関して説明されているが、数多くの非ＯＦＤＭ及び／又は非セルラーシステムを含む広範な通信システムに対して適用可能である。
【０１０９】
様々な実施形態において、本明細書において説明されるノードは、本発明の１つ以上の方法に対応するステップ、例えば信号処理、を実行するために１つ以上のモジュールを用いて実装される。該モジュールは、ソフトウェア、ハードウェア又はソフトウェアとハードウェアの組合せを用いて実装することができる。上述される方法又は方法上のステップの多くは、例えば１つ以上のノードにおいて上述される方法の全部又は一部を実装するために、追加ハードウェアを有する又は有さない機械、例えば汎用コンピュータ、を制御するために機械によって読み取り可能な媒体、例えば、ＲＡＭ、フロッピー（登録商標）ディスク等のメモリデバイス、に含められている機械によって実行可能な命令、例えばソフトウェア、を用いて実装することが可能である。従って、とりわけ、本発明は、機械、例えばプロセッサ及び関連するハードウェアに、上述される方法のステップのうちの１つ以上を実行させるための機械実行可能命令を含む機械読み取り可能媒体を対象とするものである。
【０１１０】
本発明の上記の説明に鑑みて、上述される本発明の方法及び装置に関する数多くの追加変形が当業者にとって明確になるであろう。該変形は、本発明の適用範囲内であるとみなされるべきである。本発明の方法及び装置は、ＣＤＭＡ、直交周波数分割多重化（ＯＦＤＭ）、及び／又はアクセスノードとモバイルノードとの間の無線通信リンクを提供するために用いることができる様々なその他の型の通信技術とともに用いることができ、さらに様々な実施形態においては前記通信技術とともに用いられている。幾つかの実施形態においては、アクセスノードは、ＯＦＤＭ及び／又はＣＤＭＡを用いるモバイルノードとの通信リンクを確立させる基地局として実装される。様々な実施形態においては、モバイルノードは、本発明の方法を実装するための受信機／送信機回路及び論理及び／又はルーチンを含むノートブックコンピュータ、パーソナルデータアシスタント（ＰＤＡ）、又はその他のポータブルデバイスとして実装される。
【図面の簡単な説明】
【０１１１】
【図１】本発明により実装されて本発明の方法を用いる典型的通信システムを示した図である。
【図２】本発明により実装されて本発明の方法を用いる典型的基地局を示した図である。
【図３】本発明により実装されて本発明の方法を用いる典型的無線端末を示した図である。
【図４】本発明による典型的ダウンリンクトラフィックチャネルレートオプション情報を例示するテーブルである。
【図５】本発明による、典型的ダウンリンクトラフィックチャネル割り当てシグナリング情報を含むテーブルである。
【図６】本発明による、典型的ダウンリンクトラフィックチャネルセグメントを示した図である。
【図６Ａ】本発明による、典型的ダウンリンクトラフィックチャネルセグメントを示した図である。
【図７】本発明による、典型的ダウンリンクトラフィックチャネルセグメントを示した図である。
【図８】本発明による、典型的ダウンリンクトラフィックチャネルセグメントを示した図である。
【図９】本発明による、ダウンリンクトラフィックチャネルセグメントレートオプション情報及び対応する特別情報ブロック情報を説明するテーブルである。
【図１０】本発明による、典型的第１のフォーマットを用いるダウンリンクトラフィックチャネルセグメントにおける典型的特別情報ブロックを説明するテーブルである。
【図１１】本発明による、典型的第２のフォーマットを用いるダウンリンクトラフィックチャネルセグメントにおける典型的特別情報ブロックを説明するテーブルである。
【図１２】典型的特別情報ブロックと、典型的第１のフォーマットと関連づけられた第１の符号グループを識別する情報と、典型的第２のフォーマットを有する第２の符号グループを識別する情報と、を含む図である。
【図１３】本発明による、典型的第１のフォーマットを用いるダウンリンクトラフィックチャネルセグメントの特別情報ブロックに関して情報ビットを処理してコーディングされたビットにする典型的処理及び変調シンボルへのコーディングされたビットの典型的マッピングを例示する図である。
【図１４】本発明による、典型的第２のフォーマットを用いるダウンリンクトラフィックチャネルセグメントの特別情報ブロックに関して情報ビットを処理してコーディングされたビットにする典型的処理及び変調シンボルへのコーディングされたビットの典型的マッピングを例示する図である。
【図１５】本発明による、典型的第２のフォーマットを用いるダウンリンクトラフィックチャネルセグメントの特別情報ブロックに関して情報ビットを処理してコーディングされたビットにする典型的処理及び変調シンボルへのコーディングされたビットの典型的マッピングを例示する図である。
【図１６】本発明の様々な実施形態による、典型的ダウンリンクトラフィックチャネルセグメント及び変調シンボル連結を示した図である。
【図１７】本発明による、典型的基地局動作方法の流れ図である。
【図１８】本発明による、典型的無線端末動作方法の流れ図である。
【図１】
2009503936.tif 000003
【図２】
2009503936.tif 000004
【図３】
2009503936.tif 000005
【図４】
2009503936.tif 000006
【図５】
2009503936.tif 000007
【図６】
2009503936.tif 000008
【図６Ａ】
2009503936.tif 000009
【図７】
2009503936.tif 000010
【図８】
2009503936.tif 000011
【図９】
2009503936.tif 000012
【図１０】
2009503936.tif 000013
【図１１】
2009503936.tif 000014
【図１２】
2009503936.tif 000015
【図１３】
2009503936.tif 000016
【図１４】
2009503936.tif 000017
【図１５】
2009503936.tif 000018
【図１６】
2009503936.tif 000019
【図１７】
2009503936.tif 000020
【図１８】
2009503936.tif 000021
【国際調査報告】
2009503936.tif 000022
2009503936.tif 000023
2009503936.tif 000024